(57)【要約】【課題】ユーザに特別の操作を要求することなくセキュリティ面の強化された設定内容でカスタマイズが可能なカスタマイズ可能装置、装置カスタマイズ可能システム、方法およびプログラムを得ること。【解決手段】カスタマイズ可能装置１０の使用開始時端末識別情報取得手段１４はユーザの所持する通信端末の端末識別情を取得し、パスワード入力要求手段１５が自装置に対するパスワードの入力を要求する。ユーザがパスワードを入力すると、パスワード比較手段１６がユーザの通信端末の端末識別情に対応するものと比較し、一致すれば、装置カスタマイズ手段１７はそのユーザの設定情報で装置をカスタマイズする。【選択図】図１
2012127909.tif 000002
【特許請求の範囲】
【請求項１】
自装置の各ユーザが所持するそれぞれの通信端末と通信しこれらの通信端末ごとの端末識別情報を取得すると共にこれら通信端末のユーザに自装置をカスタマイズして操作するための認証用のパスワードの登録を要求するパスワード登録要求手段と、
このパスワード登録要求手段の要求により登録したユーザのパスワードとそのユーザの所持する通信端末の端末識別情報を対応付けるパスワード・端末識別情報対応付け手段と、
ユーザごとに自装置をカスタマイズして操作するための各種の設定情報を登録する設定情報登録手段と、
自装置の操作を開始するユーザが所持する通信端末の端末識別情報を無線によって取得する使用開始時端末識別情報取得手段と、
自装置の操作を開始するユーザに対して前記パスワード登録要求手段の要求により登録したパスワードの入力を要求するパスワード入力要求手段と、
このパスワード入力要求手段の要求によってユーザがパスワードを入力したらそのパスワードと前記使用開始時端末識別情報取得手段によって取得した端末識別情報に対する前記パスワード・端末識別情報対応付け手段によって対応付けられたパスワードとが一致するかを判別するパスワード比較手段と、
このパスワード比較手段の比較によってパスワードが一致すると判別したときそのパスワードを登録したユーザについて前記設定情報登録手段によって登録した各種の設定情報で自装置をカスタマイズする装置カスタマイズ手段
とを具備することを特徴とするカスタマイズ可能装置。
【請求項２】
自装置の各ユーザが所持するそれぞれの通信端末と通信しこれらの通信端末ごとの端末識別情報を取得すると共にこれら通信端末のユーザに自装置をカスタマイズして操作するための認証用のパスワードの登録を要求するパスワード登録要求手段と、
このパスワード登録要求手段の要求により登録したユーザのパスワードとそのユーザの所持する通信端末の端末識別情報を対応付けるパスワード・端末識別情報対応付け手段と、
自装置の操作を開始するユーザが所持する通信端末の端末識別情報を無線によって取得する使用開始時端末識別情報取得手段と、
自装置の操作を開始するユーザに対して前記パスワード登録要求手段の要求により登録したパスワードの入力を要求するパスワード入力要求手段と、
このパスワード入力要求手段の要求によってユーザがパスワードを入力したらそのパスワードと前記使用開始時端末識別情報取得手段によって取得した端末識別情報に対する前記パスワード・端末識別情報対応付け手段によって対応付けられたパスワードとが一致するかを判別するパスワード比較手段と、
このパスワード比較手段の比較によってパスワードが一致すると判別したとき前記パスワード・端末識別情報対応付け手段によってそのパスワードと対応付けられる通信端末に予め登録されている自装置をカスタマイズして操作するための各種の設定情報の送信を要求する設定情報送信要求手段と、
この設定情報送信要求手段が送信を要求した各種の設定情報が前記パスワードと対応付けられる通信端末から送られてきたときこれらの設定情報で自装置をカスタマイズする装置カスタマイズ手段
とを具備することを特徴とするカスタマイズ可能装置。
【請求項３】
ユーザごとに個別に所持し無線通信を行う通信端末と、
これらの通信端末と通信しこれらの通信端末ごとの端末識別情報を取得すると共にこれら通信端末のユーザに自装置をカスタマイズして操作するための認証用のパスワードの登録を要求するパスワード登録要求手段と、このパスワード登録要求手段の要求により登録したユーザのパスワードとそのユーザの所持する通信端末の端末識別情報を対応付けるパスワード・端末識別情報対応付け手段と、ユーザごとに自装置をカスタマイズして操作するための各種の設定情報を登録する設定情報登録手段と、自装置の操作を開始するユーザが所持する通信端末の端末識別情報を無線によって取得する使用開始時端末識別情報取得手段と、自装置の操作を開始するユーザに対して前記パスワード登録要求手段の要求により登録したパスワードの入力を要求するパスワード入力要求手段と、このパスワード入力要求手段の要求によってユーザがパスワードを入力したらそのパスワードと前記使用開始時端末識別情報取得手段によって取得した端末識別情報に対する前記パスワード・端末識別情報対応付け手段によって対応付けられたパスワードとが一致するかを判別するパスワード比較手段と、このパスワード比較手段の比較によってパスワードが一致すると判別したときそのパスワードを登録したユーザについて前記設定情報登録手段によって登録した各種の設定情報で自装置をカスタマイズする装置カスタマイズ手段とを備えたカスタマイズ可能装置
とを具備することを特徴とする装置カスタマイズ可能システム。
【請求項４】
ユーザごとに個別に所持し無線通信を行う通信端末と、
これらの通信端末と通信しこれらの通信端末ごとの端末識別情報を取得すると共にこれら通信端末のユーザに自装置をカスタマイズして操作するための認証用のパスワードの登録を要求するパスワード登録要求手段と、このパスワード登録要求手段の要求により登録したユーザのパスワードとそのユーザの所持する通信端末の端末識別情報を対応付けるパスワード・端末識別情報対応付け手段と、自装置の操作を開始するユーザが所持する通信端末の端末識別情報を無線によって取得する使用開始時端末識別情報取得手段と、自装置の操作を開始するユーザに対して前記パスワード登録要求手段の要求により登録したパスワードの入力を要求するパスワード入力要求手段と、このパスワード入力要求手段の要求によってユーザがパスワードを入力したらそのパスワードと前記使用開始時端末識別情報取得手段によって取得した端末識別情報に対する前記パスワード・端末識別情報対応付け手段によって対応付けられたパスワードとが一致するかを判別するパスワード比較手段と、このパスワード比較手段の比較によってパスワードが一致すると判別したとき前記パスワード・端末識別情報対応付け手段によってそのパスワードと対応付けられる通信端末に予め登録されている自装置をカスタマイズして操作するための各種の設定情報の送信を要求する設定情報送信要求手段と、この設定情報送信要求手段が送信を要求した各種の設定情報が前記パスワードと対応付けられる通信端末から送られてきたときこれらの設定情報で自装置をカスタマイズする装置カスタマイズ手段とを備えたカスタマイズ可能装置
とを具備することを特徴とする装置カスタマイズ可能システム。
【請求項５】
前記カスタマイズ可能装置は自装置の作動が開始するのに際して自装置をユーザごとにカスタマイズした操作内容で操作させるか、標準的な操作内容で操作させるかの選択を行う操作内容選択手段を備え、前記使用開始時端末識別情報取得手段は前記操作内容選択手段が自装置をユーザごとにカスタマイズした操作内容で操作させる方に選択されているとき作動することを特徴とする請求項３または請求項４記載の装置カスタマイズ可能システム。
【請求項６】
前記通信端末は、前記カスタマイズ可能装置が複数種類存在することを前提としたときのこれらの装置をカスタマイズするための各種の設定情報を格納した設定情報格納手段と、カスタマイズの対象となるカスタマイズ可能装置の種類を判別する装置種類判別手段と、この装置種類判別手段の判別結果に応じて前記設定情報格納手段に格納された設定情報をカスタマイズの対象となるカスタマイズ可能装置に合わせてデータ変換するデータ変換手段と、このデータ変換手段で変換した後の設定情報を要求先のカスタマイズ可能装置に送信する設定情報送信手段とを更に具備することを特徴とする請求項４記載の装置カスタマイズ可能システム。
【請求項７】
自装置の各ユーザが所持するそれぞれの通信端末と通信しこれらの通信端末ごとの端末識別情報を取得すると共にこれら通信端末のユーザに自装置をカスタマイズして操作するための認証用のパスワードの登録を要求するパスワード登録要求ステップと、
このパスワード登録要求ステップによる要求により登録したユーザのパスワードとそのユーザの所持する通信端末の端末識別情報を対応付けるパスワード・端末識別情報対応付けステップと、
ユーザごとに自装置をカスタマイズして操作するための各種の設定情報を登録する設定情報登録ステップと、
自装置の操作を開始するユーザが所持する通信端末の端末識別情報を無線によって取得する使用開始時端末識別情報取得ステップと、
自装置の操作を開始するユーザに対して前記パスワード登録要求ステップによる要求により登録したパスワードの入力を要求するパスワード入力要求ステップと、
このパスワード入力要求ステップによる要求によってユーザがパスワードを入力したらそのパスワードと前記使用開始時端末識別情報取得ステップによって取得した端末識別情報に対する前記パスワード・端末識別情報対応付けステップによって対応付けられたパスワードとが一致するかを判別するパスワード比較ステップと、
このパスワード比較ステップによる比較によってパスワードが一致すると判別したときそのパスワードを登録したユーザについて前記設定情報登録ステップによって登録した各種の設定情報で自装置をカスタマイズする装置カスタマイズステップ
とを具備することを特徴とする装置カスタマイズ可能方法。
【請求項８】
自装置の各ユーザが所持するそれぞれの通信端末と通信しこれらの通信端末ごとの端末識別情報を取得すると共にこれら通信端末のユーザに自装置をカスタマイズして操作するための認証用のパスワードの登録を要求するパスワード登録要求ステップと、
このパスワード登録要求ステップによる要求により登録したユーザのパスワードとそのユーザの所持する通信端末の端末識別情報を対応付けるパスワード・端末識別情報対応付けステップと、
自装置の操作を開始するユーザが所持する通信端末の端末識別情報を無線によって取得する使用開始時端末識別情報取得ステップと、
自装置の操作を開始するユーザに対して前記パスワード登録要求ステップによる要求により登録したパスワードの入力を要求するパスワード入力要求ステップと、
このパスワード入力要求ステップによる要求によってユーザがパスワードを入力したらそのパスワードと前記使用開始時端末識別情報取得ステップによって取得した端末識別情報に対する前記パスワード・端末識別情報対応付けステップによって対応付けられたパスワードとが一致するかを判別するパスワード比較ステップと、
このパスワード比較ステップによる比較によってパスワードが一致すると判別したとき前記パスワード・端末識別情報対応付けステップによってそのパスワードと対応付けられる通信端末に予め登録されている自装置をカスタマイズして操作するための各種の設定情報の送信を要求する設定情報送信要求ステップと、
この設定情報送信要求ステップにより送信を要求した各種の設定情報が前記パスワードと対応付けられる通信端末から送られてきたときこれらの設定情報で自装置をカスタマイズする装置カスタマイズステップ
とを具備することを特徴とする装置カスタマイズ可能方法。
【請求項９】
コンピュータに、
自装置の各ユーザが所持するそれぞれの通信端末と通信しこれらの通信端末ごとの端末識別情報を取得すると共にこれら通信端末のユーザに自装置をカスタマイズして操作するための認証用のパスワードの登録を要求するパスワード登録要求処理と、
このパスワード登録要求処理による要求により登録したユーザのパスワードとそのユーザの所持する通信端末の端末識別情報を対応付けるパスワード・端末識別情報対応付け処理と、
ユーザごとに自装置をカスタマイズして操作するための各種の設定情報を登録する設定情報登録処理と、
自装置の操作を開始するユーザが所持する通信端末の端末識別情報を無線によって取得する使用開始時端末識別情報取得処理と、
自装置の操作を開始するユーザに対して前記パスワード登録要求処理による要求により登録したパスワードの入力を要求するパスワード入力要求処理と、
このパスワード入力要求処理による要求によってユーザがパスワードを入力したらそのパスワードと前記使用開始時端末識別情報取得処理によって取得した端末識別情報に対する前記パスワード・端末識別情報対応付け処理によって対応付けられたパスワードとが一致するかを判別するパスワード比較処理と、
このパスワード比較処理による比較によってパスワードが一致すると判別したときそのパスワードを登録したユーザについて前記設定情報登録処理によって登録した各種の設定情報で自装置をカスタマイズする装置カスタマイズ処理
とを実行させることを特徴とする装置カスタマイズ可能プログラム。
【請求項１０】
コンピュータに、
自装置の各ユーザが所持するそれぞれの通信端末と通信しこれらの通信端末ごとの端末識別情報を取得すると共にこれら通信端末のユーザに自装置をカスタマイズして操作するための認証用のパスワードの登録を要求するパスワード登録要求処理と、
このパスワード登録要求処理による要求により登録したユーザのパスワードとそのユーザの所持する通信端末の端末識別情報を対応付けるパスワード・端末識別情報対応付け処理と、
自装置の操作を開始するユーザが所持する通信端末の端末識別情報を無線によって取得する使用開始時端末識別情報取得処理と、
自装置の操作を開始するユーザに対して前記パスワード登録要求処理による要求により登録したパスワードの入力を要求するパスワード入力要求処理と、
このパスワード入力要求処理による要求によってユーザがパスワードを入力したらそのパスワードと前記使用開始時端末識別情報取得処理によって取得した端末識別情報に対する前記パスワード・端末識別情報対応付け処理によって対応付けられたパスワードとが一致するかを判別するパスワード比較処理と、
このパスワード比較処理による比較によってパスワードが一致すると判別したとき前記パスワード・端末識別情報対応付け処理によってそのパスワードと対応付けられる通信端末に予め登録されている自装置をカスタマイズして操作するための各種の設定情報の送信を要求する設定情報送信要求処理と、
この設定情報送信要求処理により送信を要求した各種の設定情報が前記パスワードと対応付けられる通信端末から送られてきたときこれらの設定情報で自装置をカスタマイズする装置カスタマイズ処理
とを実行させることを特徴とする装置カスタマイズ可能プログラム。
【発明の詳細な説明】
【技術分野】
【０００１】
本発明は、ユーザに応じて装置の操作内容のカスタマイズが可能なカスタマイズ可能装置、装置カスタマイズ可能システム、装置カスタマイズ可能方法および装置カスタマイズ可能プログラムに関する。本発明はたとえばカーナビゲーション装置をカスタマイズして使用する場合に有効である。
【背景技術】
【０００２】
パーソナルコンピュータ等の情報処理装置を使用した通信システムでは、そのシステムに使用する特定の情報処理装置を複数の人が交代で使用する場合がある。たとえば、ある自動車がカーナビゲーションシステム（Automotive navigation system）を搭載しているものとする。ここでカーナビゲーションシステムとは、自動車の現在位置や目的地への経路案内を行うシステムであり、ユーザの使用する自動車の車内には専用の通信端末としてのカーナビゲーション装置と表示装置が備えられている。また、自動車の外の上空には、ＧＰＳ（Global Positioning System）衛星が複数存在している。カーナビゲーションシステムでは、これら複数のＧＰＳ衛星から得られる位置情報を用いてカーナビゲーション装置が自動車の現在位置を判別して、自動車の進路を案内する。
【０００３】
このようなカーナビゲーションシステムのユーザは、他のシステムのユーザと同様にシステムを自分に合った設定内容に設定して使用するのが通常である。たとえばスピーカから出力される音声案内を自分用の音量に設定したり、表示装置に表示する各種の項目を自分用にアレンジするといった具合である。このような各種の設定は、カーナビゲーション装置自体に自装置の設定状態として保存できるようになっているものも多い。したがって、１つのカーナビゲーションシステムを一人のユーザが継続して使用する場合であれば、設定を適宜変更していくことで使い勝手のよいシステムが構築されていくことになる。
【０００４】
ところが自動車は、家族等の複数の者が交代で使用する場合が多い。この場合、カーナビゲーションシステムも複数のユーザが交代で使用することになる。したがって、カーナビゲーションシステムの設定内容が保存される機能が存在しても、ユーザが交代するたびに前のユーザの設定内容を破棄して自分に合った設定を行う必要があり、交代後のユーザに負担を掛けるという問題があった。
【０００５】
そこで、本発明に関連する第１の関連技術として、自動車に設置したカーナビゲーション装置に複数のユーザのそれぞれに対応した記憶領域を配置して、これらユーザごとに設定内容を保存することが提案されている（たとえば特許文献１参照）。この第１の関連技術では、外部メモリにユーザごとに異なった設定内容によるデータベースを構築するようになっている。
【０００６】
この第１の関連技術では、ユーザごとにデータベースを構築するので、ユーザとしての運転手が交代するたびにカーナビゲーションシステムを操作して対応する設定内容を読み出す必要が生じる。そこでこの第１の関連技術では、更に次のような２つの工夫のいずれかを採用できるようにしている。
【０００７】
第１の工夫は、ピコネット（Piconet）というネットワークを用いることで、携帯電話機からユーザを識別して、その者に対応するデータベースから設定内容を読み出すものである。ここでピコネットとは、ブルートゥース（Bluetooth（登録商標））を利用した装置同士が近づいたときに一時的に構築されるネットワークをいう。
【０００８】
第２の工夫は、ユーザがナビゲーションシステムのカーナビゲーション装置に備えられたスイッチを操作してパスワードを入力することで、そのパスワードと対応したデータベースから設定内容を読み出すものである。この第２の工夫では、第１の工夫のピコネットによる通信が成立しない場合に、パスワードがユーザ個人を識別するために使用される。
【０００９】
このうち第１の工夫を採用すると、たとえば家族を構成する複数人がそれぞれの携帯電話機を所持して自動車に載った場合、ナビゲーションシステムはこれらの家族それぞれのネットワークを構築する。この結果、運転手が誰か分からなくなり、運転手としてのユーザに合った設定内容のナビゲーションシステムが実現できない。
【００１０】
また、第２の工夫におけるパスワードは、各ユーザを区別する識別情報としての意味合いを持っている。このため通常の認証処理と比べるとセキュリティの程度が低い。
【００１１】
最近ではナビゲーションシステムで各種の機能が高度化している。たとえば検索機能については、ユーザの入力した検索用のキーワードや検索結果を履歴として保存できるようになっているものもある。また、出発点から目的地までに辿った詳細な経路を次回の参考用に保存できるようになっているものもある。このような各種機能は同一のユーザがナビゲーションシステムを活用する際に便利なものであっても、これらの機能に基づく個人的なデータを他のユーザが比較的容易に参照できることはプライバシの保護の観点から問題である。
【００１２】
そこで各ユーザにＩＤ（identification）カードを所持させてこれにより個別認識を行うようにした第２の関連技術が提案されている（たとえば特許文献２参照）。この第２の関連技術では、ＩＤカードの個人識別情報をＩＤカードリーダで読み取るので、ピコネットを使用する場合のように複数のユーザが混在して認識されるという問題がない。また、ＩＤカードをそれぞれのユーザが所持している限り、他人の設定内容が勝手に読み出されるという問題は発生しない。
【先行技術文献】
【特許文献】
【００１３】
【特許文献１】特開２００２−２８８１７２号公報（第００２１段落、第００２４段落、第００３１段落、図１）
【特許文献２】特開２００２−３４０５７２号公報（第００１９段落、図１）
【発明の概要】
【発明が解決しようとする課題】
【００１４】
しかしながら、第２の関連技術によれば、ナビゲーションシステムを構成するカーナビゲーション装置にＩＤカードリーダを接続しておく必要があり、また、ユーザは自動車で運転を行うときにＩＤカードを必ず所持している必要がある。したがって、ナビゲーションシステムの構成が複雑化し、システムの構築の費用が嵩むという問題がある。
【００１５】
この第２の関連技術では、ＡＴコマンドと呼ばれるコマンドを用いて携帯電話機から携帯電話番号を取得して、この取得した携帯電話番号に対応するオープニングパラメータを判定することも提案されている。しかしながら、この提案は、ユーザにＡＴコマンドを使用させるといった特別の操作を要求するものであり、ユーザのすべてに受け入れられるものではない。
【００１６】
以上、カーナビゲーションシステムを例に挙げて従来技術の問題を指摘したが、このような問題はカーナビゲーションシステムおよびこれに関連する製品のみに限定して生じるものではない。ユーザごとのカスタマイズした設定内容で設定して操作することが好ましい各種のカスタマイズ可能装置、装置カスタマイズ可能システム、装置カスタマイズ可能方法および装置カスタマイズ可能プログラムでも、同様の問題がある。
【００１７】
そこで本発明の目的は、ユーザに特別の操作を要求することなくセキュリティ面の強化された設定内容でカスタマイズが可能なカスタマイズ可能装置、装置カスタマイズ可能システム、装置カスタマイズ可能方法および装置カスタマイズ可能プログラムを提供することにある。
【課題を解決するための手段】
【００１８】
本発明では、（イ）自装置の各ユーザが所持するそれぞれの通信端末と通信しこれらの通信端末ごとの端末識別情報を取得すると共にこれら通信端末のユーザに自装置をカスタマイズして操作するための認証用のパスワードの登録を要求するパスワード登録要求手段と、（ロ）このパスワード登録要求手段の要求により登録したユーザのパスワードとそのユーザの所持する通信端末の端末識別情報を対応付けるパスワード・端末識別情報対応付け手段と、（ハ）ユーザごとに自装置をカスタマイズして操作するための各種の設定情報を登録する設定情報登録手段と、（ニ）自装置の操作を開始するユーザが所持する通信端末の端末識別情報を無線によって取得する使用開始時端末識別情報取得手段と、（ホ）自装置の操作を開始するユーザに対して前記したパスワード登録要求手段の要求により登録したパスワードの入力を要求するパスワード入力要求手段と、（へ）このパスワード入力要求手段の要求によってユーザがパスワードを入力したらそのパスワードと前記した使用開始時端末識別情報取得手段によって取得した端末識別情報に対する前記したパスワード・端末識別情報対応付け手段によって対応付けられたパスワードとが一致するかを判別するパスワード比較手段と、（ト）このパスワード比較手段の比較によってパスワードが一致すると判別したときそのパスワードを登録したユーザについて前記した設定情報登録手段によって登録した各種の設定情報で自装置をカスタマイズする装置カスタマイズ手段とをカスタマイズ可能装置が具備する。
【００１９】
また、本発明では、（イ）自装置の各ユーザが所持するそれぞれの通信端末と通信しこれらの通信端末ごとの端末識別情報を取得すると共にこれら通信端末のユーザに自装置をカスタマイズして操作するための認証用のパスワードの登録を要求するパスワード登録要求手段と、（ロ）このパスワード登録要求手段の要求により登録したユーザのパスワードとそのユーザの所持する通信端末の端末識別情報を対応付けるパスワード・端末識別情報対応付け手段と、（ハ）自装置の操作を開始するユーザが所持する通信端末の端末識別情報を無線によって取得する使用開始時端末識別情報取得手段と、（ニ）自装置の操作を開始するユーザに対して前記したパスワード登録要求手段の要求により登録したパスワードの入力を要求するパスワード入力要求手段と、（ホ）このパスワード入力要求手段の要求によってユーザがパスワードを入力したらそのパスワードと前記した使用開始時端末識別情報取得手段によって取得した端末識別情報に対する前記したパスワード・端末識別情報対応付け手段によって対応付けられたパスワードとが一致するかを判別するパスワード比較手段と、（へ）このパスワード比較手段の比較によってパスワードが一致すると判別したとき前記したパスワード・端末識別情報対応付け手段によってそのパスワードと対応付けられる通信端末に予め登録されている自装置をカスタマイズして操作するための各種の設定情報の送信を要求する設定情報送信要求手段と、（ト）この設定情報送信要求手段が送信を要求した各種の設定情報が前記したパスワードと対応付けられる通信端末から送られてきたときこれらの設定情報で自装置をカスタマイズする装置カスタマイズ手段とをカスタマイズ可能装置が具備する。
【００２０】
更に本発明では、（イ）ユーザごとに個別に所持し無線通信を行う通信端末と、（ロ）これらの通信端末と通信しこれらの通信端末ごとの端末識別情報を取得すると共にこれら通信端末のユーザに自装置をカスタマイズして操作するための認証用のパスワードの登録を要求するパスワード登録要求手段と、このパスワード登録要求手段の要求により登録したユーザのパスワードとそのユーザの所持する通信端末の端末識別情報を対応付けるパスワード・端末識別情報対応付け手段と、ユーザごとに自装置をカスタマイズして操作するための各種の設定情報を登録する設定情報登録手段と、自装置の操作を開始するユーザが所持する通信端末の端末識別情報を無線によって取得する使用開始時端末識別情報取得手段と、自装置の操作を開始するユーザに対して前記したパスワード登録要求手段の要求により登録したパスワードの入力を要求するパスワード入力要求手段と、このパスワード入力要求手段の要求によってユーザがパスワードを入力したらそのパスワードと前記した使用開始時端末識別情報取得手段によって取得した端末識別情報に対する前記したパスワード・端末識別情報対応付け手段によって対応付けられたパスワードとが一致するかを判別するパスワード比較手段と、このパスワード比較手段の比較によってパスワードが一致すると判別したときそのパスワードを登録したユーザについて前記した設定情報登録手段によって登録した各種の設定情報で自装置をカスタマイズする装置カスタマイズ手段とを備えたカスタマイズ可能装置とを装置カスタマイズ可能システムが具備する。
【００２１】
更にまた本発明では、（イ）ユーザごとに個別に所持し無線通信を行う通信端末と、（ロ）これらの通信端末と通信しこれらの通信端末ごとの端末識別情報を取得すると共にこれら通信端末のユーザに自装置をカスタマイズして操作するための認証用のパスワードの登録を要求するパスワード登録要求手段と、このパスワード登録要求手段の要求により登録したユーザのパスワードとそのユーザの所持する通信端末の端末識別情報を対応付けるパスワード・端末識別情報対応付け手段と、自装置の操作を開始するユーザが所持する通信端末の端末識別情報を無線によって取得する使用開始時端末識別情報取得手段と、自装置の操作を開始するユーザに対して前記したパスワード登録要求手段の要求により登録したパスワードの入力を要求するパスワード入力要求手段と、このパスワード入力要求手段の要求によってユーザがパスワードを入力したらそのパスワードと前記した使用開始時端末識別情報取得手段によって取得した端末識別情報に対する前記したパスワード・端末識別情報対応付け手段によって対応付けられたパスワードとが一致するかを判別するパスワード比較手段と、このパスワード比較手段の比較によってパスワードが一致すると判別したとき前記したパスワード・端末識別情報対応付け手段によってそのパスワードと対応付けられる通信端末に予め登録されている自装置をカスタマイズして操作するための各種の設定情報の送信を要求する設定情報送信要求手段と、この設定情報送信要求手段が送信を要求した各種の設定情報が前記したパスワードと対応付けられる通信端末から送られてきたときこれらの設定情報で自装置をカスタマイズする装置カスタマイズ手段とを備えたカスタマイズ可能装置とを装置カスタマイズ可能システムが具備する。
【００２２】
また、本発明では、（イ）自装置の各ユーザが所持するそれぞれの通信端末と通信しこれらの通信端末ごとの端末識別情報を取得すると共にこれら通信端末のユーザに自装置をカスタマイズして操作するための認証用のパスワードの登録を要求するパスワード登録要求ステップと、（ロ）このパスワード登録要求ステップによる要求により登録したユーザのパスワードとそのユーザの所持する通信端末の端末識別情報を対応付けるパスワード・端末識別情報対応付けステップと、（ハ）ユーザごとに自装置をカスタマイズして操作するための各種の設定情報を登録する設定情報登録ステップと、（ニ）自装置の操作を開始するユーザが所持する通信端末の端末識別情報を無線によって取得する使用開始時端末識別情報取得ステップと、（ホ）自装置の操作を開始するユーザに対して前記したパスワード登録要求ステップによる要求により登録したパスワードの入力を要求するパスワード入力要求ステップと、（へ）このパスワード入力要求ステップによる要求によってユーザがパスワードを入力したらそのパスワードと前記した使用開始時端末識別情報取得ステップによって取得した端末識別情報に対する前記したパスワード・端末識別情報対応付けステップによって対応付けられたパスワードとが一致するかを判別するパスワード比較ステップと、（ト）このパスワード比較ステップによる比較によってパスワードが一致すると判別したときそのパスワードを登録したユーザについて前記した設定情報登録ステップによって登録した各種の設定情報で自装置をカスタマイズする装置カスタマイズステップとを装置カスタマイズ可能方法が具備する。
【００２３】
更にまた、本発明では、（イ）自装置の各ユーザが所持するそれぞれの通信端末と通信しこれらの通信端末ごとの端末識別情報を取得すると共にこれら通信端末のユーザに自装置をカスタマイズして操作するための認証用のパスワードの登録を要求するパスワード登録要求ステップと、（ロ）このパスワード登録要求ステップによる要求により登録したユーザのパスワードとそのユーザの所持する通信端末の端末識別情報を対応付けるパスワード・端末識別情報対応付けステップと、（ハ）自装置の操作を開始するユーザが所持する通信端末の端末識別情報を無線によって取得する使用開始時端末識別情報取得ステップと、（ニ）自装置の操作を開始するユーザに対して前記したパスワード登録要求ステップによる要求により登録したパスワードの入力を要求するパスワード入力要求ステップと、（ホ）このパスワード入力要求ステップによる要求によってユーザがパスワードを入力したらそのパスワードと前記した使用開始時端末識別情報取得ステップによって取得した端末識別情報に対する前記したパスワード・端末識別情報対応付けステップによって対応付けられたパスワードとが一致するかを判別するパスワード比較ステップと、（へ）このパスワード比較ステップによる比較によってパスワードが一致すると判別したとき前記したパスワード・端末識別情報対応付けステップによってそのパスワードと対応付けられる通信端末に予め登録されている自装置をカスタマイズして操作するための各種の設定情報の送信を要求する設定情報送信要求ステップと、（ト）この設定情報送信要求ステップにより送信を要求した各種の設定情報が前記したパスワードと対応付けられる通信端末から送られてきたときこれらの設定情報で自装置をカスタマイズする装置カスタマイズステップとを装置カスタマイズ可能方法が具備する。
【００２４】
また、本発明では、コンピュータに、装置カスタマイズ可能プログラムとして、（イ）自装置の各ユーザが所持するそれぞれの通信端末と通信しこれらの通信端末ごとの端末識別情報を取得すると共にこれら通信端末のユーザに自装置をカスタマイズして操作するための認証用のパスワードの登録を要求するパスワード登録要求処理と、（ロ）このパスワード登録要求処理による要求により登録したユーザのパスワードとそのユーザの所持する通信端末の端末識別情報を対応付けるパスワード・端末識別情報対応付け処理と、（ハ）ユーザごとに自装置をカスタマイズして操作するための各種の設定情報を登録する設定情報登録処理と、（ニ）自装置の操作を開始するユーザが所持する通信端末の端末識別情報を無線によって取得する使用開始時端末識別情報取得処理と、（ホ）自装置の操作を開始するユーザに対して前記したパスワード登録要求処理による要求により登録したパスワードの入力を要求するパスワード入力要求処理と、（へ）このパスワード入力要求処理による要求によってユーザがパスワードを入力したらそのパスワードと前記した使用開始時端末識別情報取得処理によって取得した端末識別情報に対する前記したパスワード・端末識別情報対応付け処理によって対応付けられたパスワードとが一致するかを判別するパスワード比較処理と、（ト）このパスワード比較処理による比較によってパスワードが一致すると判別したときそのパスワードを登録したユーザについて前記した設定情報登録処理によって登録した各種の設定情報で自装置をカスタマイズする装置カスタマイズ処理とを実行させる。
【００２５】
更に本発明では、コンピュータに、装置カスタマイズ可能プログラムとして、（イ）自装置の各ユーザが所持するそれぞれの通信端末と通信しこれらの通信端末ごとの端末識別情報を取得すると共にこれら通信端末のユーザに自装置をカスタマイズして操作するための認証用のパスワードの登録を要求するパスワード登録要求処理と、（ロ）このパスワード登録要求処理による要求により登録したユーザのパスワードとそのユーザの所持する通信端末の端末識別情報を対応付けるパスワード・端末識別情報対応付け処理と、（ハ）自装置の操作を開始するユーザが所持する通信端末の端末識別情報を無線によって取得する使用開始時端末識別情報取得処理と、（ニ）自装置の操作を開始するユーザに対して前記したパスワード登録要求処理による要求により登録したパスワードの入力を要求するパスワード入力要求処理と、（ホ）このパスワード入力要求処理による要求によってユーザがパスワードを入力したらそのパスワードと前記した使用開始時端末識別情報取得処理によって取得した端末識別情報に対する前記したパスワード・端末識別情報対応付け処理によって対応付けられたパスワードとが一致するかを判別するパスワード比較処理と、（へ）このパスワード比較処理による比較によってパスワードが一致すると判別したとき前記したパスワード・端末識別情報対応付け処理によってそのパスワードと対応付けられる通信端末に予め登録されている自装置をカスタマイズして操作するための各種の設定情報の送信を要求する設定情報送信要求処理と、（ト）この設定情報送信要求処理により送信を要求した各種の設定情報が前記したパスワードと対応付けられる通信端末から送られてきたときこれらの設定情報で自装置をカスタマイズする装置カスタマイズ処理とを実行させる。
【発明の効果】
【００２６】
以上説明したように本発明によれば、カスタマイズ可能装置側に各ユーザが装置をカスタマイズして操作するための各種の設定情報を登録することで、ユーザ側の通信端末に記憶する内容に何らかの障害が発生した場合であってもカスタマイズ可能装置のカスタマイズをユーザの好みに合わせて行うことができる。しかも、ユーザはカスタマイズ可能装置側の要求に応じてこの装置にパスワードを入力するだけでよいので、操作が簡便である。また、各ユーザの各種の設定情報はパスワードによって保護されている。
【００２７】
また、本発明によれば、ユーザが自身の所持する通信端末側にカスタマイズ可能装置をカスタマイズして操作するための各種の設定情報を登録することで、カスタマイズ可能装置の種類を問わずに装置のカスタマイズをユーザの好みに合わせて行うことができる。しかも、ユーザはカスタマイズ可能装置側の要求に応じてこの装置にパスワードを入力するだけでよいので、操作が簡便である。
【図面の簡単な説明】
【００２８】
【図１】本発明のカスタマイズ可能装置のクレーム対応図である。
【図２】本発明の他のカスタマイズ可能装置のクレーム対応図である。
【図３】本発明の装置カスタマイズ可能システムのクレーム対応図である。
【図４】本発明の他の装置カスタマイズ可能システムのクレーム対応図である。
【図５】本発明の装置カスタマイズ可能方法のクレーム対応図である。
【図６】本発明の他の装置カスタマイズ可能方法のクレーム対応図である。
【図７】本発明の装置カスタマイズ可能プログラムのクレーム対応図である。
【図８】本発明の他の装置カスタマイズ可能プログラムのクレーム対応図である。
【図９】本発明の実施の形態における通信システムとしてのカーナビゲーションシステムを表わしたシステム構成図である。
【図１０】本実施の形態で使用するカーナビゲーション装置の構成の概要を表わしたブロック図である。
【図１１】本実施の形態で使用する携帯電話機の回路構成の概要を表わしたブロック図である。
【図１２】カーナビゲーション装置におけるパスワード・設定内容格納部の格納状態の一例を示した説明図である。
【図１３】カーナビゲーション装置が起動された際のカーナビゲーション装置側における登録処理の様子を表わした流れ図である。
【図１４】図１３のカーナビゲーション装置による登録処理に対応した携帯電話機側の処理として個別識別情報登録要求の受信処理の内容を示した流れ図である。
【図１５】本実施の形態でカーナビゲーション装置の設定内容についての設定処理の様子を表わした流れ図である。
【図１６】本実施の形態でカーナビゲーション装置の個別設定情報認証要求の送信に対する携帯電話機側の受信処理の内容を表わした流れ図である。
【図１７】本発明の変形例における携帯電話機の回路構成の概要を表わしたブロック図である。
【図１８】本発明の変形例で電源が投入されたときに自動的に適用されるナビゲーションモードにおけるカーナビゲーション装置の設定内容についての設定処理の様子を表わした流れ図である。
【図１９】本発明の変形例でカーナビゲーション装置の個別設定内容受信要求の送信に対する携帯電話機側の受信処理の内容を表わした流れ図である。
【発明を実施するための形態】
【００２９】
図１は、本発明のカスタマイズ可能装置のクレーム対応図を示したものである。本発明のカスタマイズ可能装置１０は、パスワード登録要求手段１１と、パスワード・端末識別情報対応付け手段１２と、設定情報登録手段１３と、使用開始時端末識別情報取得手段１４と、パスワード入力要求手段１５と、パスワード比較手段１６と、装置カスタマイズ手段１７を備えている。ここで、パスワード登録要求手段１１は、自装置の各ユーザが所持するそれぞれの通信端末と通信しこれらの通信端末ごとの端末識別情報を取得すると共にこれら通信端末のユーザに自装置をカスタマイズして操作するための認証用のパスワードの登録を要求する。パスワード・端末識別情報対応付け手段１２は、パスワード登録要求手段１１の要求により登録したユーザのパスワードとそのユーザの所持する通信端末の端末識別情報を対応付ける。設定情報登録手段１３は、ユーザごとに自装置をカスタマイズして操作するための各種の設定情報を登録する。使用開始時端末識別情報取得手段１４は、自装置の操作を開始するユーザが所持する通信端末の端末識別情報を無線によって取得する。パスワード入力要求手段１５は、自装置の操作を開始するユーザに対してパスワード登録要求手段１１の要求により登録したパスワードの入力を要求する。パスワード比較手段１６は、パスワード入力要求手段１５の要求によってユーザがパスワードを入力したらそのパスワードと使用開始時端末識別情報取得手段１４によって取得した端末識別情報に対するパスワード・端末識別情報対応付け手段１２によって対応付けられたパスワードとが一致するかを判別する。装置カスタマイズ手段１７は、パスワード比較手段１６の比較によってパスワードが一致すると判別したときそのパスワードを登録したユーザについて設定情報登録手段１３によって登録した各種の設定情報で自装置をカスタマイズする。
【００３０】
図２は、本発明の他のカスタマイズ可能装置のクレーム対応図を示したものである。本発明の他のカスタマイズ可能装置２０は、パスワード登録要求手段２１と、パスワード・端末識別情報対応付け手段２２と、使用開始時端末識別情報取得手段２３と、パスワード入力要求手段２４と、パスワード比較手段２５と、設定情報送信要求手段２６と、装置カスタマイズ手段２７を備えている。ここで、パスワード登録要求手段２１は、自装置の各ユーザが所持するそれぞれの通信端末と通信しこれらの通信端末ごとの端末識別情報を取得すると共にこれら通信端末のユーザに自装置をカスタマイズして操作するための認証用のパスワードの登録を要求する。パスワード・端末識別情報対応付け手段２２は、パスワード登録要求手段２１の要求により登録したユーザのパスワードとそのユーザの所持する通信端末の端末識別情報を対応付ける。使用開始時端末識別情報取得手段２３は、自装置の操作を開始するユーザが所持する通信端末の端末識別情報を無線によって取得する。パスワード入力要求手段２４は、自装置の操作を開始するユーザに対してパスワード登録要求手段２１の要求により登録したパスワードの入力を要求する。パスワード比較手段２５は、パスワード入力要求手段２４の要求によってユーザがパスワードを入力したらそのパスワードと使用開始時端末識別情報取得手段２３によって取得した端末識別情報に対するパスワード・端末識別情報対応付け手段２２によって対応付けられたパスワードとが一致するかを判別する。設定情報送信要求手段２６は、パスワード比較手段２５の比較によってパスワードが一致すると判別したときパスワード・端末識別情報対応付け手段２２によってそのパスワードと対応付けられる通信端末に予め登録されている自装置をカスタマイズして操作するための各種の設定情報の送信を要求する。装置カスタマイズ手段２７は、設定情報送信要求手段２６が送信を要求した各種の設定情報が前記したパスワードと対応付けられる通信端末から送られてきたときこれらの設定情報で自装置をカスタマイズする。
【００３１】
図３は、本発明の装置カスタマイズ可能システムのクレーム対応図を示したものである。本発明の装置カスタマイズ可能システム３０は、通信端末３１とカスタマイズ可能装置３２を備えている。ここで、通信端末３１は、ユーザごとに個別に所持して無線通信を行う端末である。カスタマイズ可能装置３２は、パスワード登録要求手段３２ａと、パスワード・端末識別情報対応付け手段３２ｂと、設定情報登録手段３２ｃと、使用開始時端末識別情報取得手段３２ｄと、パスワード入力要求手段３２ｅと、パスワード比較手段３２ｆと、装置カスタマイズ手段３２ｇとを備えている。パスワード登録要求手段３２ａは、通信端末３１と通信しこれらの通信端末３１ごとの端末識別情報を取得すると共にこれら通信端末のユーザに自装置をカスタマイズして操作するための認証用のパスワードの登録を要求する。パスワード・端末識別情報対応付け手段３２ｂは、パスワード登録要求手段３２ａの要求により登録したユーザのパスワードとそのユーザの所持する通信端末３１の端末識別情報を対応付ける。設定情報登録手段３２ｃは、ユーザごとに自装置をカスタマイズして操作するための各種の設定情報を登録する。使用開始時端末識別情報取得手段３２ｄは、自装置の操作を開始するユーザが所持する通信端末３１の端末識別情報を無線によって取得すると、自装置の操作を開始する。パスワード入力要求手段３２ｅは、ユーザに対してパスワード登録要求手段３２ａの要求により登録したパスワードの入力を要求する。パスワード比較手段３２ｆは、パスワード入力要求手段３２ｅの要求によってユーザがパスワードを入力したらそのパスワードと使用開始時端末識別情報取得手段３２ｄによって取得した端末識別情報に対するパスワード・端末識別情報対応付け手段３２ｂによって対応付けられたパスワードとが一致するかを判別する。装置カスタマイズ手段３２ｇは、パスワード比較手段３２ｆの比較によってパスワードが一致すると判別したときそのパスワードを登録したユーザについて設定情報登録手段３２ｃによって登録した各種の設定情報で自装置をカスタマイズする。
【００３２】
図４は、本発明の他の装置カスタマイズ可能システムのクレーム対応図を示したものである。本発明の他の装置カスタマイズ可能システム４０は、通信端末４１と、カスタマイズ可能装置４２を備えている。ここで、通信端末４１は、ユーザごとに個別に所持して無線通信を行う端末である。カスタマイズ可能装置４２は、パスワード登録要求手段４２ａと、パスワード・端末識別情報対応付け手段４２ｂと、使用開始時端末識別情報取得手段４２ｃと、パスワード入力要求手段４２ｄと、パスワード比較手段４２ｅと、設定情報送信要求手段４２ｆと、装置カスタマイズ手段４２ｇとを備えている。パスワード登録要求手段４２ａは、通信端末４１と通信しこれらの通信端末４１ごとの端末識別情報を取得すると共にこれら通信端末４１のユーザに自装置をカスタマイズして操作するための認証用のパスワードの登録を要求する。パスワード・端末識別情報対応付け手段４２ｂは、パスワード登録要求手段４２ａの要求により登録したユーザのパスワードとそのユーザの所持する通信端末の端末識別情報を対応付ける。使用開始時端末識別情報取得手段４２ｃは、自装置の操作を開始するユーザが所持する通信端末４１の端末識別情報を無線によって取得する。パスワード入力要求手段４２ｄは、自装置の操作を開始するユーザに対してパスワード登録要求手段４２ａの要求により登録したパスワードの入力を要求する。パスワード比較手段４２ｅは、パスワード入力要求手段４２ｄの要求によってユーザがパスワードを入力したらそのパスワードと使用開始時端末識別情報取得手段４２ｃによって取得した端末識別情報に対するパスワード・端末識別情報対応付け手段４２ｂによって対応付けられたパスワードとが一致するかを判別する。設定情報送信要求手段４２ｆは、パスワード比較手段４２ｅの比較によってパスワードが一致すると判別したときパスワード・端末識別情報対応付け手段４２ｂによってそのパスワードと対応付けられる通信端末に予め登録されている自装置をカスタマイズして操作するための各種の設定情報の送信を要求する。装置カスタマイズ手段４２ｇは、設定情報送信要求手段４２ｆが送信を要求した各種の設定情報が前記したパスワードと対応付けられる通信端末から送られてきたときこれらの設定情報で自装置をカスタマイズする。
【００３３】
図５は、本発明の装置カスタマイズ可能方法のクレーム対応図を示したものである。本発明の装置カスタマイズ可能方法５０は、パスワード登録要求ステップ５１と、パスワード・端末識別情報対応付けステップ５２と、設定情報登録ステップ５３と、使用開始時端末識別情報取得ステップ５４と、パスワード入力要求ステップ５５と、パスワード比較ステップ５６と、装置カスタマイズステップ５７を備えている。ここで、パスワード登録要求ステップ５１では、自装置の各ユーザが所持するそれぞれの通信端末と通信しこれらの通信端末ごとの端末識別情報を取得すると共にこれら通信端末のユーザに自装置をカスタマイズして操作するための認証用のパスワードの登録を要求する。パスワード・端末識別情報対応付けステップ５２では、パスワード登録要求ステップ５１による要求により登録したユーザのパスワードとそのユーザの所持する通信端末の端末識別情報を対応付ける。設定情報登録ステップ５３では、ユーザごとに自装置をカスタマイズして操作するための各種の設定情報を登録する。使用開始時端末識別情報取得ステップ５４では、自装置の操作を開始するユーザが所持する通信端末の端末識別情報を無線によって取得する。パスワード入力要求ステップ５５では、自装置の操作を開始するユーザに対してパスワード登録要求ステップ５１による要求により登録したパスワードの入力を要求する。パスワード比較ステップ５６では、パスワード入力要求ステップ５５による要求によってユーザがパスワードを入力したらそのパスワードと使用開始時端末識別情報取得ステッ５４プによって取得した端末識別情報に対するパスワード・端末識別情報対応付けステップ５２によって対応付けられたパスワードとが一致するかを判別する。装置カスタマイズステップ５７では、パスワード比較ステップ５６による比較によってパスワードが一致すると判別したときそのパスワードを登録したユーザについて設定情報登録ステップ５３によって登録した各種の設定情報で自装置をカスタマイズする。
【００３４】
図６は、本発明の他の装置カスタマイズ可能方法のクレーム対応図を示したものである。本発明の他の装置カスタマイズ可能方法６０は、パスワード登録要求ステップ６１と、パスワード・端末識別情報対応付けステップ６２と、使用開始時端末識別情報取得ステップ６３と、パスワード入力要求ステップ６４と、パスワード比較ステップ６５と、設定情報送信要求ステップ６６と、装置カスタマイズステップ６７を備えている。ここで、パスワード登録要求ステップ６１では、自装置の各ユーザが所持するそれぞれの通信端末と通信しこれらの通信端末ごとの端末識別情報を取得すると共にこれら通信端末のユーザに自装置をカスタマイズして操作するための認証用のパスワードの登録を要求する。パスワード・端末識別情報対応付けステップ６２では、パスワード登録要求ステップ６１による要求により登録したユーザのパスワードとそのユーザの所持する通信端末の端末識別情報を対応付ける。使用開始時端末識別情報取得ステップ６３では、自装置の操作を開始するユーザが所持する通信端末の端末識別情報を無線によって取得する。パスワード入力要求ステップ６４では、自装置の操作を開始するユーザに対してパスワード登録要求ステップ６１による要求により登録したパスワードの入力を要求する。パスワード比較ステップ６５では、パスワード入力要求ステップ６４による要求によってユーザがパスワードを入力したらそのパスワードと使用開始時端末識別情報取得ステップ６３によって取得した端末識別情報に対するパスワード・端末識別情報対応付けステップ６２によって対応付けられたパスワードとが一致するかを判別する。設定情報送信要求ステップ６６では、パスワード比較ステップ６５による比較によってパスワードが一致すると判別したときパスワード・端末識別情報対応付けステップ６２によってそのパスワードと対応付けられる通信端末に予め登録されている自装置をカスタマイズして操作するための各種の設定情報の送信を要求する。装置カスタマイズステップ６７では、設定情報送信要求ステップ６６により送信を要求した各種の設定情報がパスワードと対応付けられる通信端末から送られてきたときこれらの設定情報で自装置をカスタマイズする。
【００３５】
図７は、本発明の装置カスタマイズ可能プログラムのクレーム対応図を示したものである。本発明の装置カスタマイズ可能プログラム７０は、コンピュータに、パスワード登録要求処理７１と、パスワード・端末識別情報対応付け処理７２と、設定情報登録処理７３と、使用開始時端末識別情報取得処理７４と、パスワード入力要求処理７５と、パスワード比較処理７６と、装置カスタマイズ処理７７を実行させるようにしている。ここで、パスワード登録要求処理７１では、自装置の各ユーザが所持するそれぞれの通信端末と通信しこれらの通信端末ごとの端末識別情報を取得すると共にこれら通信端末のユーザに自装置をカスタマイズして操作するための認証用のパスワードの登録を要求する。パスワード・端末識別情報対応付け処理７２では、パスワード登録要求処理７１による要求により登録したユーザのパスワードとそのユーザの所持する通信端末の端末識別情報を対応付ける。設定情報登録処理７３では、ユーザごとに自装置をカスタマイズして操作するための各種の設定情報を登録する。使用開始時端末識別情報取得処理７４では、自装置の操作を開始するユーザが所持する通信端末の端末識別情報を無線によって取得する。パスワード入力要求処理７５では、自装置の操作を開始するユーザに対してパスワード登録要求処理７１による要求により登録したパスワードの入力を要求する。パスワード比較処理７６では、パスワード入力要求処理７５による要求によってユーザがパスワードを入力したらそのパスワードと使用開始時端末識別情報取得処理７４によって取得した端末識別情報に対するパスワード・端末識別情報対応付け処理７２によって対応付けられたパスワードとが一致するかを判別する。装置カスタマイズ処理７７では、パスワード比較処理７６による比較によってパスワードが一致すると判別したときそのパスワードを登録したユーザについて設定情報登録処理７３によって登録した各種の設定情報で自装置をカスタマイズする。
【００３６】
図８は、本発明の他の装置カスタマイズ可能プログラムのクレーム対応図を示したものである。本発明の他の装置カスタマイズ可能プログラム８０は、コンピュータに、パスワード登録要求処理８１と、パスワード・端末識別情報対応付け処理８２と、使用開始時端末識別情報取得処理８３と、パスワード入力要求処理８４と、パスワード比較処理８５と、設定情報送信要求処理８６と、装置カスタマイズ処理８７を実行させるようにしている。ここで、パスワード登録要求処理８１では、自装置の各ユーザが所持するそれぞれの通信端末と通信しこれらの通信端末ごとの端末識別情報を取得すると共にこれら通信端末のユーザに自装置をカスタマイズして操作するための認証用のパスワードの登録を要求する。パスワード・端末識別情報対応付け処理８２では、パスワード登録要求処理８１による要求により登録したユーザのパスワードとそのユーザの所持する通信端末の端末識別情報を対応付ける。使用開始時端末識別情報取得処理８３では、自装置の操作を開始するユーザが所持する通信端末の端末識別情報を無線によって取得する。パスワード入力要求処理８４では、自装置の操作を開始するユーザに対してパスワード登録要求処理８１による要求により登録したパスワードの入力を要求する。パスワード比較処理８５では、パスワード入力要求処理８４による要求によってユーザがパスワードを入力したらそのパスワードと使用開始時端末識別情報取得処理８３によって取得した端末識別情報に対するパスワード・端末識別情報対応付け処理８２によって対応付けられたパスワードとが一致するかを判別する。設定情報送信要求処理８６では、パスワード比較処理８５による比較によってパスワードが一致すると判別したときパスワード・端末識別情報対応付け処理８２によってそのパスワードと対応付けられる通信端末に予め登録されている自装置をカスタマイズして操作するための各種の設定情報の送信を要求する。装置カスタマイズ処理８７では、設定情報送信要求処理８６により送信を要求した各種の設定情報が前記したパスワードと対応付けられる通信端末から送られてきたときこれらの設定情報で自装置をカスタマイズする。
【００３７】
＜発明の実施の形態＞
【００３８】
次に本発明の実施の形態を説明する。
【００３９】
図９は、本発明の実施の形態における通信システムとしてのカーナビゲーションシステムを表わしたものである。このカーナビゲーションシステム１００では、図示しない自動車内部にシステム専用の通信端末としてのカーナビゲーション装置１０１と表示装置１０２が配置されている。また、運転手としてのユーザ１０３は、携帯電話機１０４を所持している。携帯電話機１０４はカーナビゲーション装置１０１と無線通信を行えるようになっている。また、自動車の上空にはＧＰＳ衛星１０５が位置している。
【００４０】
本実施の形態のカーナビゲーションシステム１００では、ユーザ１０３がカーナビゲーション装置１０１を使用するためにその電源を投入すると、カーナビゲーション装置１０１が携帯電話機１０４と無線通信１０７を行う。この結果として、携帯電話機１０４から予め設定した個別識別情報を取得できれば、カーナビゲーション装置１０１は自装置に対するパスワードの入力要求を行う。この段階でユーザ１０３がカーナビゲーション装置１０１を使用してパスワードの入力１０８を行うと、カーナビゲーション装置１０１はその内容をチェックして、一致が確認されたときに該当する設定内容に自装置を設定することになる。
【００４１】
自動車内に運転手となり得る複数の人が乗車した段階でカーナビゲーション装置１０１の電源がオンにされた場合、これら複数の者の個別識別情報によってパスワードの入力要求が複数の携帯電話機に出される可能性がある。しかしながら運転席に座った者がカーナビゲーション装置１０１を使用してパスワードを入力することで、パスワードによるユーザ１０３の特定が簡単に行われ、設定内容の誤認識は防止される。
【００４２】
図１０は、本実施の形態で使用するカーナビゲーション装置の構成の概要を表わしたものである。図９と共に説明する。
【００４３】
カーナビゲーション装置１０１は、ＣＰＵ（Central Processing Unit）１２１と、このＣＰＵ１２１が実行するプログラムを格納したＲＯＭ（Read Only Memory）１２２と、ＣＰＵ１２１がプログラムを実行する際に必要なデータを一時的に格納するメモリとしてのＲＡＭ（Random Access Memory）１２３を備えている。ＣＰＵ１２１はＲＯＭ１２２およびＲＡＭ１２３と共にデータバス等のバス１２４に接続されており、同じくバス１２４に接続された以下の各部の制御を行う。
【００４４】
無線通信部１２５は、近距離無線通信によって携帯電話機１０４と通信を行う。ＣＡＮ（Controller Area Network）通信部１２６は、図示しない通信ケーブルを介して自動車の各部と接続されており、これらと必要な通信を行う。表示制御部１２７は表示装置１０２の表示制御を行う。操作部１２８は、カーナビゲーション装置１０１の筐体表面に配置された複数のキースイッチ（図示せず）を備えており、ユーザ１０３が各種の操作を行えるようになっている。パスワード・設定内容格納部１２９は、不揮発性メモリによって構成されており、複数のユーザについてのパスワードとこれらユーザ別の設定データを格納できるようになっている。電源制御部１３１は電源１３２と接続されている。電源１３２は運転手が自動車のキー操作を行うことで、電源制御部１３１を通じてカーナビゲーション装置１０１の各部に対する供給が有効となる。
【００４５】
図１１は、本実施の形態で使用する携帯電話機の回路構成の概要を表わしたものである。図９および図１０と共に説明する。
【００４６】
携帯電話機１０４は、ＣＰＵ１４１と、このＣＰＵ１４１が実行するプログラムを格納したＲＯＭ１４２と、ＣＰＵ１４１がプログラムを実行する際に必要なデータを一時的に格納するメモリとしてのＲＡＭ１４３を備えている。ＣＰＵ１４１はＲＯＭ１４２およびＲＡＭ１４３と共にデータバス等のバス１４４に接続されており、同じくバス１４４に接続された以下の各部の制御を行う。
【００４７】
無線通信部１４５は、図示しない無線基地局と通信を行って他の携帯電話機等の電話機と通信を行ったり、インターネットにアクセスすることができる。また、無線通信部１４５は近距離無線通信機能を使用してカーナビゲーション装置１０１の無線通信部１２５と近距離無線通信を行う。本実施の形態で近距離無線通信にはブルートゥースを使用するが、赤外線通信等の他の近距離無線通信を使用してもよい。
【００４８】
表示制御部１４６はディスプレイ１４７の表示制御を行う。ディスプレイ１４７は、液晶あるいは有機ＥＬ（Organic Electro-Luminescence）によって構成されている。操作部１４８は、複数のキースイッチから構成されており、各種のデータを入力する。ディスプレイ１４７にタッチパネルが取り付けられている場合には、キースイッチの全部または一部を省略することができる。電源制御部１４９は電源１５０と接続されており、携帯電話機１０４の各部に対する電源の供給を制御する。携帯電話機共通機能部１５１は、携帯電話機１０４に備えられている、以上説明した以外の携帯電話機としての機能を実現する回路装置をまとめて示したものである。
【００４９】
図１２は、カーナビゲーション装置におけるパスワード・設定内容格納部の格納状態の一例を示したものである。パスワード・設定内容格納部１２９には、複数のユーザについてのパスワードと、これらのユーザ別の設定内容が格納されるようになっている。図１２に示した例では、第１のユーザ〜第３のユーザについてそれぞれのパスワード［Ｐ−Ａ］、［Ｐ−Ｂ］、［Ｐ−Ｃ］が登録されると共に、予め定めた各設定項目についての具体的な設定内容がユーザ別に格納されている。また、パスワード・設定内容格納部１２９の１番下の欄には、個別設定自動切替機能のオン・オフが設定されるようになっている。
【００５０】
まず、ユーザごとのパスワードおよび各種の設定について説明する。第１のユーザについては、たとえばパスワード・設定内容格納部１２９にパスワードが［Ｐ−Ａ］（実際の内容は数字または英数字の組み合わせ）と設定されており、音声ガイドはオン（音声を出力する）と設定されている。音量は中程度の大きさであり、地図に表示する文字のサイズは大きめに設定されている。
【００５１】
第２のユーザのパスワードは［Ｐ−Ｂ］に設定されており、第３のユーザのパスワードは［Ｐ−Ｃ］に設定されている。これら第２および第３のユーザもパスワード・設定内容格納部１２９に示したように、各種の設定を行うことができる。図１２に示したパスワード・設定内容格納部１２９には、第１〜第３の３人のユーザのパスワードと設定内容を格納する例を示したが、ユーザの新規登録を行うことで、パスワード・設定内容格納部１２９における登録領域を拡張することができる。
【００５２】
パスワード・設定内容格納部１２９の図で１番下の欄には、カーナビゲーション装置１０１の管理者が個別設定自動切替機能のオン・オフの設定を記録できるようになっている。ここでカーナビゲーション装置１０１の管理者とは、カーナビゲーションシステム１００を該当する自動車で使用する責任者をいう。自動車のユーザ１０３が一人である場合には、その者が管理者となる。
【００５３】
管理者は、カーナビゲーション装置１０１に最初に電源を投入したときに現われる初期画面で個別設定自動切替機能のオン・オフを設定する。カーナビゲーション装置１０１を一人のユーザのみが使用するとき、管理者は個別設定自動切替機能を「オフ」に設定する。カーナビゲーション装置１０１を複数のユーザが使用するとき、あるいはその予定があるとき、管理者は個別設定自動切替機能を「オン」に設定する。管理者は、カーナビゲーション装置１０１のユーザが複数人登録された時点で個別設定自動切替機能を「オフ」から「オン」に切り替えることも可能である。
【００５４】
カーナビゲーションシステム１００を使用する各ユーザは、使用の対象となるカーナビゲーション装置１０１に対して自分の所持する携帯電話機について個別識別情報を事前に登録しておく。また、個別識別情報を登録した際には、ユーザごとにカーナビゲーション装置１０１の内部設定が切り替わる個別設定自動切替機能をオンにするかオフにするかの設定を携帯電話機側でも行っておく。
【００５５】
図１３は、カーナビゲーション装置が起動された際のカーナビゲーション装置側における登録処理の様子を表わしたものである。図９、図１０および図１２と共に説明する。
【００５６】
ユーザ１０３は、電源制御部１３１を介して電源１３２をカーナビゲーション装置１０１に供給してこれを起動し、操作部１２８を操作して個別識別情報登録モードに設定する。カーナビゲーション装置１０１が個別識別情報登録モードに設定されると（ステップＳ２０１：Ｙ）、ＣＰＵ１２１はパスワード・設定内容格納部１２９をチェックして個別設定自動切替機能がオンになっているかを判別する（ステップＳ２０２）。もし、この時点で個別設定自動切替機能がオフになっていれば（Ｎ）、個別識別情報を登録する必要がない。そこでこの場合、ＣＰＵ１２１は表示装置１０２に登録しない旨の表示を行って（ステップＳ２０３）、個別識別情報登録モードを終了する（エンド）。
【００５７】
一方、個別設定自動切替機能がオンになっていれば（ステップＳ２０２：Ｙ）、ＣＰＵ１２１は無線通信部１２５を使用して個別識別情報登録要求を付近の携帯電話機１０４に対して送信する（ステップＳ２０４）。そして、予め設定した時間ｔ1以内に、携帯電話機１０４のいずれかから応答が受信されるのを待機する（ステップＳ２０５：Ｎ、ステップ２０６：Ｎ）。この受信待機の状態でＣＰＵ１２１は、ステップＳ２０４による個別識別情報登録要求の送信を繰り返し行うことになる。
【００５８】
時間ｔ1が経過しても携帯電話機１０４から応答がなかったとする（ステップＳ２０５：Ｎ、ステップＳ２０６：Ｙ）。この場合、カーナビゲーション装置１０１はその表示装置１０２に所定のエラー表示を行う（ステップＳ２０７）。そして、個別識別情報登録モードを終了する（エンド）。時間ｔ1で個別識別情報登録要求の送信の繰り返し時間を制限する代わりに、個別識別情報登録要求の再送回数の上限を定めてもよい。この場合の再送回数の上限は、時間ｔ1と同様にシステム側が設定する。
【００５９】
ステップＳ２０４でカーナビゲーション装置１０１側が個別識別情報登録要求を付近の携帯電話機１０４に無線で送信した結果として、時間ｔ1以内に応答が受信されたとする（ステップＳ２０５：Ｙ）。この場合、ＣＰＵ１２１は、応答を分析して受信した携帯電話機１０４の個別識別情報を既に登録している、または切替機能がオフになっているのいずれかに該当するか否かを判別する（ステップＳ２０８）。登録しているか切替機能がオフになっている場合には（Ｙ）、ステップＳ２０３に進んで登録しない旨の表示を行って（ステップＳ２０３）、個別識別情報登録モードを終了する（エンド）。
【００６０】
もちろん、ステップＳ２０４で行った近距離無線通信による個別識別情報登録要求に対して複数台の携帯電話機１０４が応答を相次いで返してくる場合がある。この場合には、煩雑さを解消するために図示していないが、既登録の携帯電話機１０４からの応答を無視して、未登録の携帯電話機１０４からの応答が時間ｔ1以内に行われるかを監視すればよい。
【００６１】
ステップＳ２０８で未登録の携帯電話機１０４からの応答があった場合には（Ｎ）、応答に含まれる個別識別情報を登録する（ステップＳ２０９）。この個別識別情報が図１２における第１〜第３のユーザに対応する情報となる。
【００６２】
ＣＰＵ１２１は個別識別情報を登録したら、応答のあった携帯電話機１０４に対してパスワードの送信を要求する（ステップＳ２１０）。そして、パスワードが受信されると（ステップＳ２１１：Ｙ）、そのパスワードをパスワード・設定内容格納部１２９に登録して（ステップＳ２１２）、一連の処理を終了する（エンド）。
【００６３】
図１４は、図１３のカーナビゲーション装置による登録処理に対応した携帯電話機側の処理として、個別識別情報登録要求の受信処理の内容を示したものである。図９、図１１および図１３と共に説明する。
【００６４】
携帯電話機１０４はその無線通信部１４５が個別識別情報登録要求を受信すると（ステップＳ２３１：Ｙ）、自装置側で個別設定自動切替機能がオンになっているかをチェックする（ステップＳ２３２）。個別設定自動切替機能がオフになっている場合、すなわちユーザ１０３が自分の設定した設定内容でカーナビゲーション装置１０１を使用する設定となっていない場合（Ｎ）、ＣＰＵ１４１は切替機能がオフになっていることを応答して（ステップＳ２３３）、個別識別情報登録要求の受信処理を終了する（エンド）。この場合、カーナビゲーション装置１０１側ではステップＳ２０３の処理が行われる。
【００６５】
一方、ステップＳ２３２で個別設定自動切替機能がオンになっていた場合（Ｙ）、ＣＰＵ１４１は自装置としての携帯電話機１０４がすでにカーナビゲーション装置１０１に対してユーザ登録を行っているかどうかを判別する（ステップＳ２３４）。ユーザ登録を行っている場合には（Ｙ）、個別識別情報を重ねて登録する必要はない。そこでこの場合、携帯電話機１０４は無線通信部１４５から既登録である旨の応答を行って（ステップＳ２３５）、個別識別情報登録要求の受信処理を終了する（エンド）。この場合、カーナビゲーション装置１０１側では再登録を必要としないので、ステップＳ２０３の表示を行うことになる。
【００６６】
ステップＳ２３４でユーザ登録が行われていないことが判別された場合（Ｎ）、ＣＰＵ１４１は自装置の識別情報を個別識別情報として、無線通信部１４５から送信して個別識別情報登録要求に応答する（ステップＳ２３６）。そして、カーナビゲーション装置１０１からパスワードが要求されたら（ステップＳ２３７：Ｙ）、ユーザ１０３にその入力を促し、入力されたパスワードを送信して（ステップＳ２３８）、個別識別情報登録要求の受信処理を終了する（エンド）。この場合、カーナビゲーション装置１０１側はパスワードをパスワード・設定内容格納部１２９に登録することになる。
【００６７】
なお、運転席に座ってカーナビゲーション装置１０１を個別識別情報登録モードに設定したユーザが、その時点で自分の携帯電話機１０４に対する個別識別情報の登録を行っていない場合がある。この場合には、図１３のステップＳ２０４で個別識別情報登録要求がカーナビゲーション装置１０１の無線通信部１２５から送信されても、ユーザ１０３の携帯電話機１０４はこの要求を認識することができない。そこで携帯電話機１０４は何らの応答もカーナビゲーション装置１０１に返さないので、図１３のステップＳ２０７によるエラー表示が表示装置１０２に行われることになる。ユーザ１０３が自分の携帯電話機１０４を自動車内部に持ってくるのを忘れた場合も同様である。このような場合、ユーザ１０３はエラー表示の原因を調べてその原因を取き、必要ならば再度、個別識別情報登録モードを選択することになる。したがって、エラー表示は該当する携帯電話機１０４のディスプレイ１４７に対しても行ってよい。
【００６８】
以上のようにして各ユーザ１０３について登録を行ったら、これらのユーザ１０３が設定した設定内容がパスワード・設定内容格納部１２９に登録され、必要に応じて修正されていく。カーナビゲーション装置１０１は、統計的に多くのユーザが設定する設定内容を標準設定内容としてＲＯＭ１２２の所定の領域に保存している。したがって、各ユーザ１０３はこの標準設定内容をデフォルト値として初期設定することで、設定操作に対する負荷を軽減することができる。
【００６９】
図１５は、電源が投入されたときに自動的に適用されるナビゲーションモードにおけるカーナビゲーション装置の設定内容についての設定処理の様子を表わしたものである。図９、図１０および図１２と共に説明する。
【００７０】
カーナビゲーション装置１０１のＣＰＵ１２１は、ユーザ１０３が操作部１２８の図示しない電源ボタンを押してソフトウェア的に電源をオンにするのを待機している（ステップＳ２５１）。電源がオンにされると（Ｙ）、ＣＰＵ１２１はパスワード・設定内容格納部１２９の１番下の欄を読み出して、個別設定自動切替機能がオンになっているかをチェックする（ステップＳ２５２）。
【００７１】
その結果、個別設定自動切替機能がオフになっている場合（ステップＳ２５２：Ｎ）、ＣＰＵ１２１はＲＯＭ１２２に格納された標準設定内容を読み出して、カーナビゲーション装置１０１の設定内容としてセットして（ステップＳ２５３）、設定処理を終了する（エンド）。
【００７２】
一方、個別設定自動切替機能がオンになっている場合（ステップＳ２５２：Ｙ）、ＣＰＵ１２１は無線通信部１２５を使用して個別設定情報認証要求を送信する（ステップＳ２５４）。そして、予め設定した時間ｔ2以内に、携帯電話機１０４のいずれかから応答が受信されるのを待機する（ステップＳ２５５：Ｎ、ステップ２５６：Ｎ）。この受信待機の状態でＣＰＵ１２１は、ステップＳ２５４による個別識別情報登録要求の送信を繰り返し行うことになる。
【００７３】
時間ｔ2が経過しても携帯電話機１０４から応答がなかったとする（ステップＳ２５５：Ｎ、ステップＳ２５６：Ｙ）。この場合、カーナビゲーション装置１０１はＲＯＭ１２２に格納された標準設定内容を読み出して、カーナビゲーション装置１０１の設定内容としてセットして（ステップＳ２５３）、設定処理を終了する（エンド）。すなわち、自動車の運転手が自分の携帯電話機を持ち合わせないような場合には、カーナビゲーション装置１０１を標準設定内容にセットすることになる。カーナビゲーションシステム１００によっては「携帯電話機が付近に見当たりません。標準設定内容でナビゲーションを初めてよいですか。」というようなメッセージをカーナビゲーション装置１０１の表示装置１０２に表示してユーザ１０３の対処方法を聞くようにしてもよい。
【００７４】
なお、時間ｔ2で個別識別情報認証要求の送信の繰り返し時間を制限する代わりに、個別識別情報認証要求の再送回数の上限を定めてもよい。再送回数の上限は、時間ｔ2と同様にシステム側が設定する。
【００７５】
時間ｔ2が経過する前に携帯電話機１０４から応答が受信された場合には（ステップＳ２５５：Ｙ）、その応答でユーザ１０３側の個別設定自動切替機能が「オン」になっているかをチェックする（ステップＳ２５７）。ユーザ１０３側の個別設定自動切替機能が「オン」になっている場合とは、ユーザ１０３が自分の設定した設定内容で運転することを選択したような場合である。
【００７６】
個別設定自動切替機能が「オン」になっている場合（ステップＳ２５７：Ｙ）、ＣＰＵ１２１は携帯電話機１０４から応答時に送られてきた個別識別情報からユーザを判別する（ステップＳ２５８）。ＣＰＵ１２１は続いてカーナビゲーション装置１０１の表示装置１０２にパスワードの入力を求める表示を行う（ステップＳ２５９）。このとき該当する携帯電話機１０４側に同様の表示を行わせてもよいが、パスワードの入力はカーナビゲーション装置１０１側の操作部１２８から行う。したがって、本実施の形態では表示装置１０２にパスワードの入力を求める表示を行うことにしている。
【００７７】
ユーザ１０３が操作部１２８を操作してパスワードの入力を行うと（ステップＳ２６０：Ｙ）、ＣＰＵ１２１はステップＳ２５８で判別したユーザのパスワードと、入力されたパスワードが一致するかを判別する（ステップＳ２６１）。一致した場合（Ｙ）、ＣＰＵ１２１はパスワード・設定内容格納部１２９における該当するユーザの設定内容をカーナビゲーション装置１０１の設定内容としてセットして（ステップＳ２６２）、設定処理を終了する（エンド）。
【００７８】
これに対してステップＳ２５８で判別したユーザのパスワードと、入力されたパスワードが一致しなかった場合（ステップＳ２６１：Ｎ）、想定されるユーザ１０３以外の者が運転を行う可能性がある。そこでこの場合、ＣＰＵ１２１はＲＯＭ１２２に格納された標準設定内容を読み出して、カーナビゲーション装置１０１の設定内容としてセットして（ステップＳ２５３）、設定処理を終了する（エンド）。もちろん、この場合にＣＰＵ１２１は入力されたパスワードが一致しない旨の表示を表示装置１０２あるいは携帯電話機１０４のディスプレイ１４７に行って、パスワードの再入力を促し、それでも正しいパスワードが入力されなかった場合に限って標準設定内容のセットを行うようにしてもよい。
【００７９】
ステップＳ２５７で個別設定自動切替機能が「オフ」になっていたような場合にも（ステップＳ２５７：Ｎ）、ＣＰＵ１２１は同様にカーナビゲーション装置１０１に対して標準設定内容のセットを行う（ステップＳ２５３）。この場合にもＣＰＵ１２１は「標準設定内容でナビゲーションを行います。」等のアナウンスを流してユーザ１０３に確認する手法を採用してもよい。
【００８０】
図１６は、カーナビゲーション装置の個別設定情報認証要求の送信に対する携帯電話機側の受信処理の内容を表わしたものである。図９、図１１および図１５と共に説明する。
【００８１】
携帯電話機１０４のＣＰＵ１４１はカーナビゲーション装置１０１から個別設定情報認証要求が送信されてくるのを待機している（ステップＳ２８１）。図１５のステップＳ２４５で個別設定情報認証要求が送信され、これが無線通信部１４５で受信されると（Ｙ）、ＣＰＵ１４１はＲＡＭ１４３の不揮発性メモリ領域を参照して、ユーザ１０３が個別設定自動切替機能を「オン」に設定しているかをチェックする（ステップＳ２８２）。
【００８２】
個別設定自動切替機能が「オン」になっている場合には（ステップＳ２８２：Ｙ）、自装置としての携帯電話機１０４の個別識別情報と共に個別設定自動切替機能が「オン」になっていることを個別設定情報認証要求に対して返答して（ステップＳ２８３）、処理を終了する（エンド）。この場合、カーナビゲーション装置１０１ではステップＳ２５８以降の処理に進むことになる。
【００８３】
一方、個別設定自動切替機能が「オフ」になっている場合（ステップＳ２８２：Ｎ）、ＣＰＵ１４１は個別設定自動切替機能が「オフ」になっている旨の返答を行って（ステップＳ２８４）、処理を終了する（エンド）。この場合、カーナビゲーション装置１０１ではステップＳ２５３に処理を進めて標準設定内容がセットされることになる。
【００８４】
以上説明した本実施の形態のカーナビゲーションシステム１００によれば、同一の自動車を複数の運転手が交代で使用する場合に、カーナビゲーション装置１０１の設定変更の手間を省くことができる。それぞれの運転手としてのユーザが予め個別認証を登録した携帯電話を所持すれば、運転席に乗り込んでカーナビゲーション装置１０１を起動しパスワード入力を行うだけで自分の設定が反映されるからである。
【００８５】
また、本実施の形態によれば、ユーザ１０３ごとに個別設定する設定内容は、図１２に示したものに限らない。たとえば、カーナビゲーション装置１０１の起動画面や音声案内方法、ディスプレイ輝度、地図表示（縮尺、方位、２画面表示設定、地図色、交通情報表示等）、音声認識登録言語、自宅設定のようにユーザ１０３が設定可能なあらゆるものが対象となる。
【００８６】
更に、本実施の形態ではカーナビゲーション装置１０１と携帯電話機１０４の認証が、両者の通信不良等の原因で失敗したような場合でも、標準設定内容でカーナビゲーション装置１０１を設定することができる。したがって、認証の失敗時であってもカーナビゲーション装置１０１を使用してナビゲーション機能を使用することができる。
【００８７】
また、本実施の形態ではカーナビゲーション装置１０１が個別設定自動切替機能が「オン」になった携帯電話機１０４から自動的に応答を検出した場合（ステップＳ２５５：Ｙ）でも、その携帯電話機１０４のユーザにパスワードの入力を要求することにした。これにより、たとえば車内に残された携帯電話機を使用して他人がカーナビゲーション装置１０１を起動したような場合にはユーザ１０３独自の設定内容に設定されることがない。したがって、ユーザ１０３の個人情報が設定内容を通して流出することがなく、セキュリティ面で安全を確保することができる。
【００８８】
更に本実施の形態によれば、カーナビゲーション装置１０１の個別設定自動切替機能が「オン」になっていればカーナビゲーション装置１０１は各ユーザに合わせた設定内容に設定されるか標準設定内容に設定される。したがって、前のユーザ（運転手）の設定内容をそのまま引き継ぐといった不具合を解消することができる。このため目的地検索履歴等の個別情報についても、後に運転するユーザ（運転手）に自分の検索履歴等の情報を見られるおそれがなく、プライバシの保護の観点からも好ましい。
【００８９】
＜発明の変形可能性＞
【００９０】
以上説明した実施の形態では、個々のユーザ１０３がカーナビゲーション装置１０１側に設定内容を直接入力することでこれらのユーザ１０３の取り扱う情報のセキュリティを確保している。これに限らず、ユーザ１０３が自分の携帯電話機１０４側にカーナビゲーション装置１０１用の設定内容を作成して保存しておき、これを運転の開始に先立ってカーナビゲーション装置１０１にセキュリティをかけて送信するようにしてもよい。これにより、ユーザ１０３は自分の携帯電話機１０４に設定内容を保存しておけば、自動車を乗り換えても自分に合った操作内容でカーナビゲーションを実行させることができる。
【００９１】
図１７は、この変形例における携帯電話機の回路構成の概要を表わしたものである。図１７で図１１と同一部分には同一の符号を付しており、これらの説明を適宜省略する。
【００９２】
この変形例の携帯電話機１０４Ａは、バス１４４に新たにパスワード・設定内容格納部３０１と、データ変換部３０２が接続されている。パスワード・設定内容格納部３０１には、図９に示したユーザ１０３自身のパスワードと、自身に合った設定内容が格納されている。
【００９３】
このパスワード・設定内容格納部３０１に格納された設定内容は初期的に自分の運転する自動車のパスワード・設定内容格納部１２９（図１０）から転送を受けたものであってもよいが、あらゆる機種の自動車に対応するフォーマットに沿った内容であってもよい。したがって、設定内容には自動車の種類の項目もあり、ここには普通車、大型車等の車種や、ガソリン車、ハイブリッド車、バイオ燃料適応車、電気自動車等の各種の自動車が選択できるようになっていてもよい。
【００９４】
また、パスワード・設定内容格納部３０１に格納されるパスワードとしては、ユーザ１０３が各種の自動車に乗り換える際にパスワードが重複する事態の発生に備えて、幾つかの代替使用できるパスワードが用意されていてもよい。これにより、ユーザ１０３が意識することなく、自動車ごとにパスワードの設定が可能になる。
【００９５】
データ変換部３０２は、パスワード・設定内容格納部３０１に格納された設定内容をユーザ１０３が今回運転しようとする自動車のパスワード・設定内容格納部１２９の設定内容に変換する回路部分である。各種の新車が登場すると、携帯電話機１０４Ａはこれに対応したデータ変換を行うための制御プログラムをＲＯＭ１４２Ａに追加的にダウンロードしてデータ変換部３０２の変換内容の修正を行うことができる。また、この結果としてパスワード・設定内容格納部３０１に格納する元データの修正も行われる。
【００９６】
図１８は図１５に対応したもので、この変形例で電源が投入されたときに自動的に適用されるナビゲーションモードにおけるカーナビゲーション装置の設定内容についての設定処理の様子を表わしたものである。図９および図１０と共に説明する。ただし、図９および図１０でカーナビゲーションシステム１００はカーナビゲーションシステム１００Ａに、また携帯電話機１０４は携帯電話機１０４Ａに置き換えて説明を行う。また、カーナビゲーション装置１０１はカーナビゲーション装置１０１Ａに、またそのＲＯＭ１２２はＲＯＭ１２２Ａに置き換えるものとする。更に、この変形例でパスワード・設定内容格納部１２９には、必要に応じて各ユーザのパスワードや、少なくとも現時点で使用する設定内容が格納されるようになっているものとする。
【００９７】
ＣＰＵ１２１は、ユーザ１０３がカーナビゲーション装置１０１Ａの電源をオンにするのを待機している（ステップＳ４０１）。ユーザ１０３が自動車のイグニッション（鍵穴）をＡＣＣ（アクセサリ）オンに操作して電源をオンにすると（Ｙ）、ＣＰＵ１２１はパスワード・設定内容格納部１２９の１番下の欄を読み出して、個別設定自動切替機能がオンになっているかをチェックする（ステップＳ４０２）。
【００９８】
その結果、個別設定自動切替機能がオフになっている場合（ステップＳ４０２：Ｎ）、ＣＰＵ１２１はＲＯＭ１２２Ａに格納された標準設定内容を読み出して、カーナビゲーション装置１０１Ａの設定内容としてセットして（ステップＳ４０３）、設定処理を終了する（エンド）。
【００９９】
一方、個別設定自動切替機能がオンになっている場合（ステップＳ４０２：Ｙ）、ＣＰＵ１２１は無線通信部１２５を使用して個別設定内容受信要求を送信する（ステップＳ４０４）。そして、予め設定した時間ｔ3以内に、携帯電話機１０４Ａのいずれかから応答が受信されるのを待機する（ステップＳ４０５：Ｎ、ステップ４０６：Ｎ）。この受信待機の状態でＣＰＵ１２１は、ステップＳ４０４による個別識別情報登録要求の送信を繰り返し行うことになる。
【０１００】
時間ｔ3が経過しても携帯電話機１０４Ａから応答がなかったとする（ステップＳ４０５：Ｎ、ステップＳ４０６：Ｙ）。この場合、カーナビゲーション装置１０１ＡはＲＯＭ１２２Ａに格納された標準設定内容を読み出して、カーナビゲーション装置１０１Ａの設定内容としてセットして（ステップＳ４０３）、設定処理を終了する（エンド）。すなわち、自動車の運転手が自分の携帯電話機を持ち合わせないような場合には、カーナビゲーション装置１０１Ａを標準設定内容にセットすることになる。カーナビゲーションシステム１００Ａによっては「携帯電話機が付近に見当たりません。標準設定内容でナビゲーションを初めてよいですか。」というようなメッセージをカーナビゲーション装置１０１Ａの表示装置１０２に表示してユーザ１０３の対処方法を聞くようにしてもよい。
【０１０１】
なお、時間ｔ3で個別設定内容受信要求の送信の繰り返し時間を制限する代わりに、個別設定内容受信要求の再送回数の上限を定めてもよい。再送回数の上限は、時間ｔ3と同様にシステム側が設定する。
【０１０２】
時間ｔ3が経過する前に携帯電話機１０４Ａから応答が受信された場合（ステップＳ４０５：Ｙ）、ＣＰＵ１２１は応答で得られた個別識別情報から事前に登録されたユーザを判別する（ステップＳ４０７）。ＣＰＵ１２１は続いてカーナビゲーション装置１０１Ａの表示装置１０２にパスワードの入力を求める表示を行う（ステップＳ４０８）。このとき該当する携帯電話機１０４Ａ側に同様の表示を行わせてもよいが、パスワードの入力はカーナビゲーション装置１０１Ａ側の操作部１２８から行う。したがって、この変形例でも表示装置１０２にパスワードの入力を求める表示を行うことにしている。
【０１０３】
ユーザ１０３が操作部１２８を操作してパスワードの入力を行うと（ステップＳ４０９：Ｙ）、ＣＰＵ１２１は以前に登録しておいたユーザのパスワードと、入力されたパスワードが一致するかを判別する（ステップＳ４１０）。一致した場合（Ｙ）、ＣＰＵ１２１はパスワード・設定内容格納部１２９に上書きするためのそのユーザ１０３の携帯電話機１０４Ａの設定内容の送信を要求する（ステップＳ４１１）。すなわち、携帯電話機１０４Ａの設定内容の最新の内容が要求されることになる。
【０１０４】
携帯電話機１０４Ａから最新の設定内容が送られてきたら（ステップＳ４１２：Ｙ）、ＣＰＵ１２１はその設定内容をカーナビゲーション装置１０１Ａにおけるそのユーザ１０３の設定内容としてセットして（ステップＳ４１３）、設定処理を終了する（エンド）。
【０１０５】
これに対してステップＳ４１０でパスワードが一致しなかった場合（Ｎ）、想定されるユーザ１０３以外の者が運転を行う可能性がある。そこでこの場合、ＣＰＵ１２１はＲＯＭ１２２Ａに格納された標準設定内容を読み出して、カーナビゲーション装置１０１Ａの設定内容としてセットして（ステップＳ４０３）、設定処理を終了する（エンド）。もちろん、この場合にＣＰＵ１２１は入力されたパスワードが一致しない旨の表示を表示装置１０２あるいは携帯電話機１０４Ａのディスプレイ１４７に行って、それでも正しいパスワードが入力されなかった場合に限って標準設定内容のセットを行うようにしてもよい。
【０１０６】
図１９は、カーナビゲーション装置の個別設定内容受信要求の送信に対する携帯電話機側の受信処理の内容を表わしたものである。図９、図１１および図１８と共に説明する。また、図１８の説明と同様に変形例に独自の回路部分の符号の置き換えを行うことにする。
【０１０７】
携帯電話機１０４ＡのＣＰＵ１４１はカーナビゲーション装置１０１Ａから個別設定内容受信要求が送信されてくるのを待機している（ステップＳ４２１）。個別設定内容受信要求が送られてきたら（Ｙ）、ＣＰＵ１４１は携帯電話機１０４Ａの個別識別情報を応答として返す（ステップＳ４２２）。そしてカーナビゲーション装置１０１Ａから設定内容の送信の要求が送られてくるのを待機する（ステップＳ４２３）。所定の時間ｔ4以内に設定内容の送信の要求がカーナビゲーション装置１０１Ａから送られてこなかった場合（ステップＳ４２３：Ｎ、ステップＳ４２４：Ｙ）、ＣＰＵ１４１はその時点で処理を終了する（エンド）。この場合、カーナビゲーション装置１０１Ａ側ではステップＳ４０３で標準設定内容をセットすることになる。
【０１０８】
一方、所定の時間ｔ4が経過する前に設定内容の送信の要求を受信した場合（ステップＳ４２３：Ｙ）、携帯電話機１０４ＡのＣＰＵ１４１はパスワード・設定内容格納部３０１から設定内容データを読み出す（ステップＳ４２５）。そして、設定内容の送信の要求を行ったカーナビゲーション装置１０１Ａから送られてきたその機種の情報を用いて、データ変換部３０２を使用し、その装置の設定項目に合った設定内容に設定内容データを変換する（ステップＳ４２６）。ＣＰＵ１４１は変換後の設定内容を無線通信部１４５からカーナビゲーション装置１０１Ａに送信して（ステップＳ４２７）、一連の処理を終了する（エンド）。この場合、カーナビゲーション装置１０１Ａ側ではステップＳ４１２で設定内容を受信し、ステップＳ４１３でそのユーザ１０３の設定内容をセットすることになる。
【０１０９】
以上説明した本発明の変形例では、ユーザ１０３が自分の携帯電話機１０４Ａにカーナビゲーション装置１０１Ａの設定内容を保持しておけば、レンタカーに乗ったり、他人の自動車を借りる場合にも自分の使いやすい設定内容に自動的に設定させることができる。しかも、カーナビゲーション装置１０１Ａが新たなパスワードを要求する際にそのパスワード・設定内容格納部１２９Ａの内容を自動消去するようにしておけば、ユーザ１０３の情報が他人に知られることもない。パスワード・設定内容格納部１２９Ａの内容をＲＡＭ１２２の揮発性の領域に格納することでも同様の効果を得ることができる。
【０１１０】
しかもこの変形例によれば、ユーザ１０３がカーナビゲーション装置１０１Ａを買い換えたり、新しい自動車に乗り換えた場合にも、設定内容を新たに入力する必要がないという利点もある。もちろん、カーナビゲーション装置１０１Ａと携帯電話機１０４Ａの通信にセキュリティを確保すれば、設定内容が他の通信機器に傍受されることもない。
【０１１１】
以上説明した実施の形態および変形例ではカーナビゲーション装置１０１、１０１Ａと携帯電話機１０４、１０４Ａの関係を説明したが、これに限るものではない。携帯電話機１０４、１０４Ａの代わりにカーナビゲーション装置１０１、１０１Ａと通信可能な他の通信端末についても本発明を同様に適用することができる。
【０１１２】
以上説明した実施の形態の一部または全部は、以下の付記のようにも記載されるが、以下の記載に限定されるものではない。
【０１１３】
（付記１）
自装置の各ユーザが所持するそれぞれの通信端末と通信しこれらの通信端末ごとの端末識別情報を取得すると共にこれら通信端末のユーザに自装置をカスタマイズして操作するための認証用のパスワードの登録を要求するパスワード登録要求手段と、
このパスワード登録要求手段の要求により登録したユーザのパスワードとそのユーザの所持する通信端末の端末識別情報を対応付けるパスワード・端末識別情報対応付け手段と、
ユーザごとに自装置をカスタマイズして操作するための各種の設定情報を登録する設定情報登録手段と、
自装置の操作を開始するユーザが所持する通信端末の端末識別情報を無線によって取得する使用開始時端末識別情報取得手段と、
自装置の操作を開始するユーザに対して前記パスワード登録要求手段の要求により登録したパスワードの入力を要求するパスワード入力要求手段と、
このパスワード入力要求手段の要求によってユーザがパスワードを入力したらそのパスワードと前記使用開始時端末識別情報取得手段によって取得した端末識別情報に対する前記パスワード・端末識別情報対応付け手段によって対応付けられたパスワードとが一致するかを判別するパスワード比較手段と、
このパスワード比較手段の比較によってパスワードが一致すると判別したときそのパスワードを登録したユーザについて前記設定情報登録手段によって登録した各種の設定情報で自装置をカスタマイズする装置カスタマイズ手段
とを具備することを特徴とするカスタマイズ可能装置。
【０１１４】
（付記２）
自装置の各ユーザが所持するそれぞれの通信端末と通信しこれらの通信端末ごとの端末識別情報を取得すると共にこれら通信端末のユーザに自装置をカスタマイズして操作するための認証用のパスワードの登録を要求するパスワード登録要求手段と、
このパスワード登録要求手段の要求により登録したユーザのパスワードとそのユーザの所持する通信端末の端末識別情報を対応付けるパスワード・端末識別情報対応付け手段と、
自装置の操作を開始するユーザが所持する通信端末の端末識別情報を無線によって取得する使用開始時端末識別情報取得手段と、
自装置の操作を開始するユーザに対して前記パスワード登録要求手段の要求により登録したパスワードの入力を要求するパスワード入力要求手段と、
このパスワード入力要求手段の要求によってユーザがパスワードを入力したらそのパスワードと前記使用開始時端末識別情報取得手段によって取得した端末識別情報に対する前記パスワード・端末識別情報対応付け手段によって対応付けられたパスワードとが一致するかを判別するパスワード比較手段と、
このパスワード比較手段の比較によってパスワードが一致すると判別したとき前記パスワード・端末識別情報対応付け手段によってそのパスワードと対応付けられる通信端末に予め登録されている自装置をカスタマイズして操作するための各種の設定情報の送信を要求する設定情報送信要求手段と、
この設定情報送信要求手段が送信を要求した各種の設定情報が前記パスワードと対応付けられる通信端末から送られてきたときこれらの設定情報で自装置をカスタマイズする装置カスタマイズ手段
とを具備することを特徴とするカスタマイズ可能装置。
【０１１５】
（付記３）
自装置の作動が開始するのに際して自装置をユーザごとにカスタマイズした操作内容で操作させるか、標準的な操作内容で操作させるかの選択を行う操作内容選択手段を備え、前記使用開始時端末識別情報取得手段は前記操作内容選択手段が自装置をユーザごとにカスタマイズした操作内容で操作させる方に選択されているとき作動することを特徴とする付記１または付記２記載のカスタマイズ可能装置。
【０１１６】
（付記４）
前記パスワード比較手段の比較によってパスワードが一致しないと判別したとき、標準的な操作内容で操作させる予め設定した標準操作内容に自装置を設定するパスワード不一致時装置設定手段を具備することを特徴とする付記１または付記２記載のカスタマイズ可能装置。
【０１１７】
（付記５）
ユーザごとに個別に所持し無線通信を行う通信端末と、
これらの通信端末と通信しこれらの通信端末ごとの端末識別情報を取得すると共にこれら通信端末のユーザに自装置をカスタマイズして操作するための認証用のパスワードの登録を要求するパスワード登録要求手段と、このパスワード登録要求手段の要求により登録したユーザのパスワードとそのユーザの所持する通信端末の端末識別情報を対応付けるパスワード・端末識別情報対応付け手段と、ユーザごとに自装置をカスタマイズして操作するための各種の設定情報を登録する設定情報登録手段と、自装置の操作を開始するユーザが所持する通信端末の端末識別情報を無線によって取得する使用開始時端末識別情報取得手段と、自装置の操作を開始するユーザに対して前記パスワード登録要求手段の要求により登録したパスワードの入力を要求するパスワード入力要求手段と、このパスワード入力要求手段の要求によってユーザがパスワードを入力したらそのパスワードと前記使用開始時端末識別情報取得手段によって取得した端末識別情報に対する前記パスワード・端末識別情報対応付け手段によって対応付けられたパスワードとが一致するかを判別するパスワード比較手段と、このパスワード比較手段の比較によってパスワードが一致すると判別したときそのパスワードを登録したユーザについて前記設定情報登録手段によって登録した各種の設定情報で自装置をカスタマイズする装置カスタマイズ手段とを備えたカスタマイズ可能装置
とを具備することを特徴とする装置カスタマイズ可能システム。
【０１１８】
（付記６）
ユーザごとに個別に所持し無線通信を行う通信端末と、
これらの通信端末と通信しこれらの通信端末ごとの端末識別情報を取得すると共にこれら通信端末のユーザに自装置をカスタマイズして操作するための認証用のパスワードの登録を要求するパスワード登録要求手段と、このパスワード登録要求手段の要求により登録したユーザのパスワードとそのユーザの所持する通信端末の端末識別情報を対応付けるパスワード・端末識別情報対応付け手段と、自装置の操作を開始するユーザが所持する通信端末の端末識別情報を無線によって取得する使用開始時端末識別情報取得手段と、自装置の操作を開始するユーザに対して前記パスワード登録要求手段の要求により登録したパスワードの入力を要求するパスワード入力要求手段と、このパスワード入力要求手段の要求によってユーザがパスワードを入力したらそのパスワードと前記使用開始時端末識別情報取得手段によって取得した端末識別情報に対する前記パスワード・端末識別情報対応付け手段によって対応付けられたパスワードとが一致するかを判別するパスワード比較手段と、このパスワード比較手段の比較によってパスワードが一致すると判別したとき前記パスワード・端末識別情報対応付け手段によってそのパスワードと対応付けられる通信端末に予め登録されている自装置をカスタマイズして操作するための各種の設定情報の送信を要求する設定情報送信要求手段と、この設定情報送信要求手段が送信を要求した各種の設定情報が前記パスワードと対応付けられる通信端末から送られてきたときこれらの設定情報で自装置をカスタマイズする装置カスタマイズ手段とを備えたカスタマイズ可能装置
とを具備することを特徴とする装置カスタマイズ可能システム。
【０１１９】
（付記７）
前記カスタマイズ可能装置は自装置の作動が開始するのに際して自装置をユーザごとにカスタマイズした操作内容で操作させるか、標準的な操作内容で操作させるかの選択を行う操作内容選択手段を備え、前記使用開始時端末識別情報取得手段は前記操作内容選択手段が自装置をユーザごとにカスタマイズした操作内容で操作させる方に選択されているとき作動することを特徴とする付記５または付記６記載の装置カスタマイズ可能システム。
【０１２０】
（付記８）
前記通信端末は、前記カスタマイズ可能装置が複数種類存在することを前提としたときのこれらの装置をカスタマイズするための各種の設定情報を格納した設定情報格納手段と、カスタマイズの対象となるカスタマイズ可能装置の種類を判別する装置種類判別手段と、この装置種類判別手段の判別結果に応じて前記設定情報格納手段に格納された設定情報をカスタマイズの対象となるカスタマイズ可能装置に合わせてデータ変換するデータ変換手段と、このデータ変換手段で変換した後の設定情報を要求先のカスタマイズ可能装置に送信する設定情報送信手段とを更に具備することを特徴とする付記６記載の装置カスタマイズ可能システム。
【０１２１】
（付記９）
前記通信端末は携帯電話機であり、前記カスタマイズ可能装置はカーナビゲーション装置であることを特徴とする付記５または付記６記載の装置カスタマイズ可能システム。
【０１２２】
（付記１０）
前記カスタマイズ可能装置は、前記パスワード比較手段の比較によってパスワードが一致しないと判別したとき、標準的な操作内容で操作させる予め設定した標準操作内容に自装置を設定するパスワード不一致時装置設定手段を具備することを特徴とする付記５または付記６記載の装置カスタマイズ可能システム。
【０１２３】
（付記１１）
自装置の各ユーザが所持するそれぞれの通信端末と通信しこれらの通信端末ごとの端末識別情報を取得すると共にこれら通信端末のユーザに自装置をカスタマイズして操作するための認証用のパスワードの登録を要求するパスワード登録要求ステップと、
このパスワード登録要求ステップによる要求により登録したユーザのパスワードとそのユーザの所持する通信端末の端末識別情報を対応付けるパスワード・端末識別情報対応付けステップと、
ユーザごとに自装置をカスタマイズして操作するための各種の設定情報を登録する設定情報登録ステップと、
自装置の操作を開始するユーザが所持する通信端末の端末識別情報を無線によって取得する使用開始時端末識別情報取得ステップと、
自装置の操作を開始するユーザに対して前記パスワード登録要求ステップによる要求により登録したパスワードの入力を要求するパスワード入力要求ステップと、
このパスワード入力要求ステップによる要求によってユーザがパスワードを入力したらそのパスワードと前記使用開始時端末識別情報取得ステップによって取得した端末識別情報に対する前記パスワード・端末識別情報対応付けステップによって対応付けられたパスワードとが一致するかを判別するパスワード比較ステップと、
このパスワード比較ステップによる比較によってパスワードが一致すると判別したときそのパスワードを登録したユーザについて前記設定情報登録ステップによって登録した各種の設定情報で自装置をカスタマイズする装置カスタマイズステップ
とを具備することを特徴とする装置カスタマイズ可能方法。
【０１２４】
（付記１２）
自装置の各ユーザが所持するそれぞれの通信端末と通信しこれらの通信端末ごとの端末識別情報を取得すると共にこれら通信端末のユーザに自装置をカスタマイズして操作するための認証用のパスワードの登録を要求するパスワード登録要求ステップと、
このパスワード登録要求ステップによる要求により登録したユーザのパスワードとそのユーザの所持する通信端末の端末識別情報を対応付けるパスワード・端末識別情報対応付けステップと、
自装置の操作を開始するユーザが所持する通信端末の端末識別情報を無線によって取得する使用開始時端末識別情報取得ステップと、
自装置の操作を開始するユーザに対して前記パスワード登録要求ステップによる要求により登録したパスワードの入力を要求するパスワード入力要求ステップと、
このパスワード入力要求ステップによる要求によってユーザがパスワードを入力したらそのパスワードと前記使用開始時端末識別情報取得ステップによって取得した端末識別情報に対する前記パスワード・端末識別情報対応付けステップによって対応付けられたパスワードとが一致するかを判別するパスワード比較ステップと、
このパスワード比較ステップによる比較によってパスワードが一致すると判別したとき前記パスワード・端末識別情報対応付けステップによってそのパスワードと対応付けられる通信端末に予め登録されている自装置をカスタマイズして操作するための各種の設定情報の送信を要求する設定情報送信要求ステップと、
この設定情報送信要求ステップにより送信を要求した各種の設定情報が前記パスワードと対応付けられる通信端末から送られてきたときこれらの設定情報で自装置をカスタマイズする装置カスタマイズステップ
とを具備することを特徴とする装置カスタマイズ可能方法。
【０１２５】
（付記１３）
コンピュータに、
自装置の各ユーザが所持するそれぞれの通信端末と通信しこれらの通信端末ごとの端末識別情報を取得すると共にこれら通信端末のユーザに自装置をカスタマイズして操作するための認証用のパスワードの登録を要求するパスワード登録要求処理と、
このパスワード登録要求処理による要求により登録したユーザのパスワードとそのユーザの所持する通信端末の端末識別情報を対応付けるパスワード・端末識別情報対応付け処理と、
ユーザごとに自装置をカスタマイズして操作するための各種の設定情報を登録する設定情報登録処理と、
自装置の操作を開始するユーザが所持する通信端末の端末識別情報を無線によって取得する使用開始時端末識別情報取得処理と、
自装置の操作を開始するユーザに対して前記パスワード登録要求処理による要求により登録したパスワードの入力を要求するパスワード入力要求処理と、
このパスワード入力要求処理による要求によってユーザがパスワードを入力したらそのパスワードと前記使用開始時端末識別情報取得処理によって取得した端末識別情報に対する前記パスワード・端末識別情報対応付け処理によって対応付けられたパスワードとが一致するかを判別するパスワード比較処理と、
このパスワード比較処理による比較によってパスワードが一致すると判別したときそのパスワードを登録したユーザについて前記設定情報登録処理によって登録した各種の設定情報で自装置をカスタマイズする装置カスタマイズ処理
とを実行させることを特徴とする装置カスタマイズ可能プログラム。
【０１２６】
（付記１４）
コンピュータに、
自装置の各ユーザが所持するそれぞれの通信端末と通信しこれらの通信端末ごとの端末識別情報を取得すると共にこれら通信端末のユーザに自装置をカスタマイズして操作するための認証用のパスワードの登録を要求するパスワード登録要求処理と、
このパスワード登録要求処理による要求により登録したユーザのパスワードとそのユーザの所持する通信端末の端末識別情報を対応付けるパスワード・端末識別情報対応付け処理と、
自装置の操作を開始するユーザが所持する通信端末の端末識別情報を無線によって取得する使用開始時端末識別情報取得処理と、
自装置の操作を開始するユーザに対して前記パスワード登録要求処理による要求により登録したパスワードの入力を要求するパスワード入力要求処理と、
このパスワード入力要求処理による要求によってユーザがパスワードを入力したらそのパスワードと前記使用開始時端末識別情報取得処理によって取得した端末識別情報に対する前記パスワード・端末識別情報対応付け処理によって対応付けられたパスワードとが一致するかを判別するパスワード比較処理と、
このパスワード比較処理による比較によってパスワードが一致すると判別したとき前記パスワード・端末識別情報対応付け処理によってそのパスワードと対応付けられる通信端末に予め登録されている自装置をカスタマイズして操作するための各種の設定情報の送信を要求する設定情報送信要求処理と、
この設定情報送信要求処理により送信を要求した各種の設定情報が前記パスワードと対応付けられる通信端末から送られてきたときこれらの設定情報で自装置をカスタマイズする装置カスタマイズ処理
とを実行させることを特徴とする装置カスタマイズ可能プログラム。
【符号の説明】
【０１２７】
１０、２０  カスタマイズ可能装置
１１、２１、３２ａ、４２ａ  パスワード登録要求手段
１２、２２、３２ｂ、４２ｂ  パスワード・端末識別情報対応付け手段
１３、３２ｃ  設定情報登録手段
１４、３２ｄ、４２ｃ  使用開始時端末識別情報取得手段
１５、２４、３２ｅ、４２ｄ  パスワード入力要求手段
１６、２５、３２ｆ、４２ｅ  パスワード比較手段
１７、２７、３２ｇ、４２ｇ  装置カスタマイズ手段
２３、３２ｄ  使用開始時端末識別情報取得手段
２６、４２ｆ  設定情報送信要求手段
３０、４０  装置カスタマイズ可能システム
３１、４１  通信端末
３２、４２  カスタマイズ可能装置
５０、６０  装置カスタマイズ可能方法
５１、６１  パスワード登録要求ステップ
５２、６２  パスワード・端末識別情報対応付けステップ
５３  設定情報登録ステップ
５４、６３  使用開始時端末識別情報取得ステップ
５５、６４  パスワード入力要求ステップ
５６、６５  パスワード比較ステップ
５７、６７  装置カスタマイズステップ
６６  設定情報送信要求ステップ
７０、８０  装置カスタマイズ可能プログラム
７１、８１  パスワード登録要求処理
７２、８２  パスワード・端末識別情報対応付け処理
７３  設定情報登録処理
７４、８３  使用開始時端末識別情報取得処理
７５、８４  パスワード入力要求処理
７６、８５  パスワード比較処理
７７、８７  装置カスタマイズ処理
８６  設定情報送信要求処理
１００、１００Ａ  カーナビゲーションシステム
１０１、１０１Ａ  カーナビゲーション装置
１０２  表示装置
１０３  ユーザ
１０４、１０４Ａ  携帯電話機
１０５  ＧＰＳ衛星
１２１、１４１  ＣＰＵ
１２２、１４２、１４２Ａ  ＲＯＭ
１２３、１４３  ＲＡＭ
１２５、１４５  無線通信部
１２８、１４８  操作部
１２９、１２９Ａ、３０１  パスワード・設定内容格納部
１４７  ディスプレイ
３０２  データ変換部
【図１】
2012127909.tif 000003
【図２】
2012127909.tif 000004
【図３】
2012127909.tif 000005
【図４】
2012127909.tif 000006
【図５】
2012127909.tif 000007
【図６】
2012127909.tif 000008
【図７】
2012127909.tif 000009
【図８】
2012127909.tif 000010
【図９】
2012127909.tif 000011
【図１０】
2012127909.tif 000012
【図１１】
2012127909.tif 000013
【図１２】
2012127909.tif 000014
【図１３】
2012127909.tif 000015
【図１４】
2012127909.tif 000016
【図１５】
2012127909.tif 000017
【図１６】
2012127909.tif 000018
【図１７】
2012127909.tif 000019
【図１８】
2012127909.tif 000020
【図１９】
2012127909.tif 000021